(57)【要約】  ユーザ機器（ＵＥ）へのダウンリンク送信の開始時間がより自由度の高い、システムおよび方法が開示される。例えば、フレームまたはサブフレーム内の既定の開始ポイントから始めるのではなく、場合によってはその代わりに、ｘ個のＯＦＤＭシンボル毎にダウンリンク送信を始めてよい。ここで、ｘは、１ＯＦＤＭシンボルと同じくらい小さくてよい。
2019537292.tif 000002
【特許請求の範囲】
【請求項１】
ユーザ機器（ＵＥ）によって行われる方法であって、
複数の開始位置を示す設定シグナリングを受信する段階であって、前記複数の開始位置の各々は、隣り合う開始位置からｘ個のＯＦＤＭシンボル分離れて生じる、段階と、
前記複数の開始位置のうちの少なくともいくつかの１つ１つについて、前記１つ１つの開始位置において制御情報がないかモニタリングする段階であって、前記制御情報は、前記１つ１つの開始位置から始まる特定の時間間隔中に前記ＵＥへのダウンリンクデータ送信がスケジューリングされていることを示す、段階と、
前記複数の開始位置のうちの前記少なくともいくつかのうちの１つについて、前記特定の時間間隔中に前記制御情報および前記ダウンリンクデータ送信を受信する段階と
を備える
方法。
【請求項２】
前記各々の開始位置は、それぞれのＯＦＤＭシンボルである、
請求項１に記載の方法。
【請求項３】
ｘ＝１である、
請求項１または２に記載の方法。
【請求項４】
前記特定の時間間隔は、１または複数のＯＦＤＭシンボルを含み、前記制御情報は、前記１または複数のＯＦＤＭシンボルのうちの第１番目のＯＦＤＭシンボル内にある、
請求項１から３のいずれか一項に記載の方法。
【請求項５】
前記ダウンリンクデータ送信が開始を許可されたときのＯＦＤＭシンボル中においてのみ、前記制御情報がないかモニタリングする段階を備える、
請求項１から４のいずれか一項に記載の方法。
【請求項６】
前記各々の開始位置から始まる前記時間間隔は、同じｋ個のＯＦＤＭシンボルの継続時間を有する、
請求項１から５のいずれか一項に記載の方法。
【請求項７】
前記継続時間の通知を受信する段階をさらに備える、
請求項６に記載の方法。
【請求項８】
前記ＵＥは、ガード期間の前のｋ個未満のＯＦＤＭシンボルのいずれにおいても、前記制御情報がないかモニタリングしない、
請求項６に記載の方法。
【請求項９】
前記複数の開始位置はそれぞれ、別のＵＥが前記別のＵＥ向けの制御情報がないかモニタリングする別の時間間隔の開始位置とは異なる、
請求項１から８のいずれか一項に記載の方法。
【請求項１０】
前記ダウンリンクデータ送信は、低遅延データ送信である、
請求項１から９のいずれか一項に記載の方法。
【請求項１１】
前記第１番目のＯＦＤＭシンボルは、前記制御情報と、前記ダウンリンクデータ送信の一部との両方を含む、
請求項４に記載の方法。
【請求項１２】
前記制御情報は、前記ＵＥへのダウンリンクデータ送信が、前記１つ１つの開始位置から始まるようスケジューリングされていることを示す、
請求項１から１１のいずれか一項に記載の方法。
【請求項１３】
前記第１番目のＯＦＤＭシンボルは、前記制御情報を含み、前記ダウンリンクデータ送信については一切含まない、
請求項４に記載の方法。
【請求項１４】
前記特定の時間間隔は、別のＵＥが前記別のＵＥ向けのダウンリンク送信を受信してよい別の時間間隔の対応する継続時間とは異なる継続時間を有する、
請求項１から１３のいずれか一項に記載の方法。
【請求項１５】
前記複数の開始位置は、第１の複数の開始位置であり、前記方法は、更新された設定シグナリングを受信する段階をさらに備え、前記更新された設定シグナリングは、第２の複数の開始位置を示し、前記第２の複数の開始位置の各開始位置は、前記第２の複数の開始位置のうちの隣り合う開始位置からｎ個のＯＦＤＭシンボル分離れて生じ、ｎはｘとは異なる、
請求項１から１４のいずれか一項に記載の方法。
【請求項１６】
ユーザ機器（ＵＥ）であって、
複数の開始位置を示す設定シグナリングを受信する受信部であって、前記複数の開始位置の各々は、隣り合う開始位置からｘ個のＯＦＤＭシンボル分離れて生じる、受信部と、
前記複数の開始位置のうちの少なくともいくつかの１つ１つについて、前記１つ１つの開始位置において制御情報がないかモニタリングする制御情報処理部であって、前記制御情報は、前記１つ１つの開始位置から始まる特定の時間間隔中に前記ＵＥへのダウンリンクデータ送信がスケジューリングされていることを示す、制御情報処理部と
を備え、
前記受信部は、前記複数の開始位置のうちの前記少なくともいくつかのうちの１つについて、前記特定の時間間隔中に前記制御情報および前記ダウンリンクデータ送信を受信する、
ＵＥ。
【請求項１７】
前記各々の開始位置は、それぞれのＯＦＤＭシンボルである、
請求項１６に記載のＵＥ。
【請求項１８】
ｘ＝１である、
請求項１６または１７に記載のＵＥ。
【請求項１９】
前記特定の時間間隔は、１または複数のＯＦＤＭシンボルを含み、前記制御情報は、前記１または複数のＯＦＤＭシンボルのうちの第１番目のＯＦＤＭシンボル内にある、
請求項１６から１８のいずれか一項に記載のＵＥ。
【請求項２０】
前記制御情報処理部は、前記ダウンリンクデータ送信が開始を許可されたときのＯＦＤＭシンボル中においてのみ、前記制御情報がないかモニタリングする、
請求項１６から１９のいずれか一項に記載のＵＥ。
【請求項２１】
前記各々の開始位置から始まる前記時間間隔は、同じｋ個のＯＦＤＭシンボルの継続時間を有する、
請求項１６から２０のいずれか一項に記載のＵＥ。
【請求項２２】
前記受信部はさらに、前記継続時間の通知を受信する、
請求項２１に記載のＵＥ。
【請求項２３】
前記制御情報処理部は、ガード期間の前のｋ個未満のＯＦＤＭシンボルのいずれにおいても、前記制御情報がないかモニタリングしない、
請求項２１に記載のＵＥ。
【請求項２４】
前記複数の開始位置はそれぞれ、別のＵＥが前記別のＵＥ向けの制御情報がないかモニタリングする別の時間間隔の開始位置とは異なる、
請求項１６から２３のいずれか一項に記載のＵＥ。
【請求項２５】
前記ダウンリンクデータ送信は、低遅延データ送信である、
請求項１６から２４のいずれか一項に記載のＵＥ。
【請求項２６】
前記第１番目のＯＦＤＭシンボルは、前記制御情報と、前記ダウンリンクデータ送信の一部との両方を含む、
請求項１９に記載のＵＥ。
【請求項２７】
前記制御情報は、前記ＵＥへのダウンリンクデータ送信が前記１つ１つの開始位置から始まるようスケジューリングされていることを示す、
請求項１６から２６のいずれか一項に記載のＵＥ。
【請求項２８】
前記第１番目のＯＦＤＭシンボルは、前記制御情報を含み、前記ダウンリンクデータ送信については一切含まない、
請求項１９に記載のＵＥ。
【請求項２９】
前記特定の時間間隔は、別のＵＥが前記別のＵＥ向けのダウンリンク送信を受信する別の時間間隔の対応する継続時間とは異なる継続時間を有する、
請求項１６から２８のいずれか一項に記載のＵＥ。
【請求項３０】
前記複数の開始位置は、第１の複数の開始位置であり、前記受信部は、更新された設定シグナリングを受信し、前記更新された設定シグナリングは、第２の複数の開始位置を示し、前記第２の複数の開始位置のうちの各開始位置は、前記第２の複数の開始位置のうちの隣り合う開始位置からｎ個のＯＦＤＭシンボル分離れて生じ、ｎはｘとは異なる、
請求項１６から２９のいずれか一項に記載のＵＥ。
【発明の詳細な説明】
【技術分野】
【０００１】
［優先権］
本出願は、２０１６年９月２２日に出願された、「Ｆｌｅｘｉｂｌｅ  Ｓｌｏｔ  Ａｒｃｈｉｔｅｃｔｕｒｅ  ｆｏｒ  Ｌｏｗ  Ｌａｔｅｎｃｙ  Ｃｏｍｍｕｎｉｃａｔｉｏｎ」と題する米国仮特許出願第６２／３９８，３２０号、および、２０１７年９月１９日に出願された米国特許出願第１５／７０９，０１８号に基づく優先権を主張し、両出願はその全体が参照によって本明細書に組み込まれる。
【０００２】
本出願は無線通信に関し、より具体的には、低遅延通信に関する。
【背景技術】
【０００３】
いくつかの無線通信システムでは、ユーザ機器（ＵＥ）は、１または複数の基地局と無線で通信する。その無線通信は、直交周波数分割多重化（ＯＦＤＭ）シンボルを送信することによって行われてよい。ＯＦＤＭシンボルは、直交周波数分割多元接続（ＯＦＤＭＡ）方式などの直交多元接続方式、またはスパース符号多元接続（ＳＣＭＡ）などの非直交多元接続（ＮｏＭＡ）にしたがって送信されてよい。
【０００４】
ＵＥから基地局への無線通信は、アップリンク通信と称される。基地局からＵＥへの無線通信は、ダウンリンク通信と称される。アップリンク通信およびダウンリンク通信を行うのにはリソースが必要である。例えば、基地局は、特定の周波数で特定の継続時間の間、ダウンリンク通信でデータをＵＥに無線で送信してよい。周波数と継続時間とはリソースの例である。 
【０００５】
基地局によってサービス提供されるいくつかのＵＥは、例えば、（アップリンクおよび／またはダウンリンクの）送信を０．５ｍｓ以内に維持することによって、または、全エンドツーエンド（すなわち往復）遅延を１ｍｓ以内に維持することによって、低遅延で、データを基地局から受信し、および／または、データを基地局に送信する必要があり得る。例えば、基地局は、第１のＵＥおよび第２のＵＥを含む複数のＵＥにサービス提供してよい。第１のＵＥは、第１のＵＥを使用してインターネット上で閲覧中の人が持ち運ぶモバイルデバイスであってよい。第２のＵＥは、高速道路を走行中の自立走行車における機器であってよい。基地局は両ＵＥにサービス提供中であるが、第２のＵＥは第１のＵＥと比較して、より低遅延でデータを送信および／または受信する必要があり得る。第２のＵＥはまた、自身のデータを高い信頼性をもって送信および／または受信する必要もあり得る。第２のＵＥが超高信頼性低遅延通信（ＵＲＬＬＣ）のＵＥであってよい一方、第１のＵＥは、高速大容量モバイルブロードバンド（ｅＭＢＢ）のＵＥであってよい。 
【０００６】
基地局によってサービス提供される、より低遅延の通信を必要とするＵＥは、「低遅延ＵＥ」と称される。基地局によってサービス提供されるその他のＵＥは、「耐遅延ＵＥ」と称される。基地局と低遅延ＵＥとの間で送信されるデータは、「低遅延データ」と称され、基地局と耐遅延ＵＥとの間で送信されるデータは、「耐遅延データ」と称される。単一のＵＥが低遅延通信および耐遅延通信の両方を使用し得ることが考えられる。この場合は、「低遅延ＵＥ」という用語は、低遅延通信を行うための当該単一のＵＥの動作を指すことになり、「耐遅延ＵＥ」という用語は、耐遅延通信を行うための当該単一のＵＥの動作を指すことになる。
【０００７】
時間リソース／周波数リソースを共有して低遅延通信および耐遅延通信の両方が存在する通信に対応し、リソース利用率を向上させることが望ましい。
【発明の概要】
【０００８】
低遅延データは、本質的にバースト的または散発的なデータであってよく、ショートパケットで送信されてよい。少数のＯＦＤＭシンボル（例えば７ＯＦＤＭシンボル）を占有し得る時間スロット中に、低遅延ＵＥへの／低遅延ＵＥからの送信が行われてよく、無線通信のサブフレームがスロットに細分化されてよい。スロットの途中で低遅延データが送信されるために到着した場合、当該低遅延データを送信する前に次のスロットの開始まで待機する必要があり、待機中に遅延がもたらされる。低遅延送信の開始時間がより自由度の高い、システムおよび方法が開示される。
【０００９】
ＵＥへのダウンリンク送信の開始時間がより自由度の高い、システムおよび方法もまた開示される。例えば、フレームまたはサブフレーム内の既定の開始ポイントから始めるのではなく、場合によってはその代わりに、ｘ個のＯＦＤＭシンボル毎にダウンリンク送信を始めてよい。ここで、ｘは、１ＯＦＤＭシンボルと同じくらい小さくてよい。ゆえに、ＵＥは、制御情報がないか定期的にモニタリングするよう構成される。ここで、制御情報は、当該ＵＥへのダウンリンク送信を示す（例えば、制御情報はダウンリンクグラントであってよい）。ＵＥは、ｘ個のＯＦＤＭシンボル毎に一回、制御情報がないかモニタリングするよう構成されてよい。 
【００１０】
１つの実施形態において、ＵＥによって行われる方法が提供される。当該方法は、設定シグナリングを受信する段階を備える。設定シグナリングは、複数の開始位置を示す。各開始位置は、隣り合う開始位置からｘ個のＯＦＤＭシンボル分離れて生じる。 当該方法は、複数の開始位置のうちの少なくともいくつかの１つ１つについて、当該１つ１つの開始位置において制御情報がないかＵＥがモニタリングする段階をさらに備えてよい。 制御情報は、当該１つ１つの開始位置から始まる特定の時間間隔中に、ＵＥへのダウンリンクデータ送信がスケジューリングされていることを示す。 当該方法は、複数の開始位置の少なくともいくつかのうちの１つについて、当該特定の時間間隔中に制御情報およびダウンリンクデータ送信を受信する段階をさらに備えてよい。
【００１１】
別の実施形態において、基地局によって行われる方法が提供される。当該方法は、設定シグナリングをＵＥに基地局が送信する段階を備える。設定シグナリングは、複数の開始位置を示し、ＵＥは、制御情報がないか当該開始位置の各々においてモニタリングする。各開始位置は、隣り合う開始位置からｘ個のＯＦＤＭシンボル分離れて生じる。 当該方法は、複数の開始位置のうちの特定の開始位置において制御情報を基地局が送信する段階をさらに備えてよい。 制御情報は、当該特定の開始位置から始まる時間間隔中に、ＵＥへのダウンリンクデータ送信がスケジューリングされていることを示す。当該方法は、当該時間間隔中にダウンリンクデータ送信を基地局が送信する段階をさらに備えてよい。
【００１２】
本明細書に開示の方法を行うよう構成されるＵＥおよび基地局も提供される。
【図面の簡単な説明】
【００１３】
次の添付図面に関して、単なる一例として実施形態を説明する。
【００１４】
【図１】１つの実施形態に係る、基地局および４つのＵＥのブロック図である。
【００１５】
【図２】基地局およびＵＥの一例を示すブロック図である。
【００１６】
【図３】時間／周波数リソースをより詳細に示し、低遅延通信および耐遅延通信の共存を示す。
【図４】時間／周波数リソースをより詳細に示し、低遅延通信および耐遅延通信の共存を示す。
【図５】時間／周波数リソースをより詳細に示し、低遅延通信および耐遅延通信の共存を示す。
【図６】時間／周波数リソースをより詳細に示し、低遅延通信および耐遅延通信の共存を示す。
【図７】時間／周波数リソースをより詳細に示し、低遅延通信および耐遅延通信の共存を示す。
【図８】時間／周波数リソースをより詳細に示し、低遅延通信および耐遅延通信の共存を示す。
【図９】時間／周波数リソースをより詳細に示し、低遅延通信および耐遅延通信の共存を示す。
【図１０】時間／周波数リソースをより詳細に示し、低遅延通信および耐遅延通信の共存を示す。
【図１１】時間／周波数リソースをより詳細に示し、低遅延通信および耐遅延通信の共存を示す。
【図１２】時間／周波数リソースをより詳細に示し、低遅延通信および耐遅延通信の共存を示す。
【００１７】
【図１３】一実施形態に係る方法である。
【図１４】一実施形態に係る方法である。
【図１５】一実施形態に係る方法である。
【図１６】一実施形態に係る方法である。
【図１７】一実施形態に係る方法である。
【００１８】
【図１８】本開示の実施形態が実装され得る例示的な通信システムを示す。
【００１９】
【図１９】本開示の実施形態が実装され得る例示的な通信システムの２つの隣り合う新無線（ＮＲ）セルを示す。
【００２０】
【図２０】本開示に係る方法および教示を実装し得る例示的なデバイスを示す。
【図２１】本開示に係る方法および教示を実装し得る例示的なデバイスを示す。
【発明を実施するための形態】
【００２１】
ここで、例示を目的として、具体的な例示的実施形態を図に関連して以下でより詳細に説明する。 
【００２２】
図１は、１つの実施形態に係る、基地局１００、ならびに、基地局１００によってサービス提供される４つのＵＥ１０２ａ、１０２ｂ、１０４ａ、および１０４ｂのブロック図である。ＵＥ１０２ａおよび１０２ｂは低遅延ＵＥであり、ＵＥ１０４ａおよび１０４ｂは耐遅延ＵＥである。すなわち、ＵＥ１０２ａおよび１０２ｂは、ＵＥ１０４ａおよび１０４ｂと比較して、より低遅延なアップリンク通信および／またはダウンリンク通信を必要とする。例えば、ＵＥ１０２ａおよび１０２ｂはＵＲＬＬＣ  ＵＥであってよく、ＵＥ１０４ａおよび１０４ｂは、ｅＭＢＢ  ＵＥであってよい。図１では基地局１００は４つのＵＥのみにサービス提供しているが、実運用では、基地局１００はさらに多くのＵＥにサービス提供してよい。本明細書に説明されている例では、低遅延ＵＥへのダウンリンク送信はグラントに基づいており、低遅延ＵＥからのアップリンク送信はグラントフリーである。しかしながら、より一般的には、基地局と低遅延ＵＥとの間のアップリンク送信および／またはダウンリンク送信は、グラントに基づいていてよく、および／またはグラントフリーであってよい。
【００２３】
基地局１００は、ＵＥ１０２ａ、１０２ｂ、１０４ａ、および１０４ｂ用のデータを搬送する信号を無線で送信し、かつＵＥ１０２ａ、１０２ｂ、１０４ａ、および１０４ｂからのデータを搬送する信号を無線で受信するための１または複数のアンテナ１２２を含む。アンテナ１２２は１つだけ示されている。基地局１００は他の回路およびモジュールを含むが、分かり易くするために、それらは省略されている。例えば、基地局１００は、メモリ（図示せず）に記憶された命令を実行するプロセッサ（図示せず）を含んでよい。命令が実行された場合、プロセッサは、ダウンリンクのリソースのスケジューリングおよび／または割り当てに関連して以下で説明される基地局のオペレーションを基地局に実行させる。あるいは、以下で説明される基地局のオペレーションは、プロセッサではなく、特定用途向け集積回路（ＡＳＩＣ）、グラフィックス処理ユニット（ＧＰＵ）、またはプログラムされたフィールドプログラマブルゲートアレイ（ＦＰＧＡ）などの専用集積回路を使用して実装されてよい。
【００２４】
「基地局」と言う単語は、アップリンク通信および／またはダウンリンク通信を使用してＵＥと無線で通信する任意のデバイスを含む。ゆえに、いくつかの実装例では、基地局１００は、送受信基地局（ＢＴＳ）、無線基地局、ネットワークノード、アクセスポイント、送信ノード、ノードＢ、発展型ノードＢ（ｅＮｏｄｅＢ）、中継局、リモート無線ヘッド、送信ポイント、または送信受信ポイントなどの他の名称で呼ばれてよい。また、いくつかの実施形態では、基地局１００のコンポーネントは分散されている。例えば、基地局１００のいくつかのコンポーネントは、通信リンク（図示せず）を介してアンテナ１２２を収容する機器に接続されてよい。ゆえに、いくつかの実施形態では、基地局１００という用語はまた、リソース割り当て、制御情報生成、およびメッセージ生成などのオペレーションを行い、かつ、必ずしも基地局１００のアンテナ１２２を収容する機器の一部とは限らないネットワーク側のモジュールを指してよい。基地局は１つだけ図示されているが、同期通信を使用して本明細書に開示の実施形態を実装する複数の基地局が存在してよいと考えられる。 
【００２５】
基地局１００と、ＵＥ１０２ａ、１０２ｂ、１０４ａ、および／または１０４ｂのうちの１または複数との間の無線送信が行われるとき、送信は、割り当てられたリソース、例えば時間／周波数リソース、を使用する。時間／周波数リソースの一例を１２６に示す。ＵＥに割り当てられた例示的な具体的なリソース区分を、１１８および１２０に示す。
【００２６】
耐遅延データの送信用に、時間／周波数リソース１２６の領域１２８が予約または使用され、この領域１２８を耐遅延領域と呼ぶ。時間／周波数リソース１２６の別の領域１３０は、耐遅延データおよび低遅延データの両方の送信用に予約または使用され、この領域１３０を共存領域と呼ぶ。領域１２８は、領域１３０とは別個の周波数範囲として示されているが、一般的にはその通りである必要はない。また、低遅延データの送信のためだけに予約されている別の領域（図示せず）が存在してもよい。これに加えてまたはこれに代えて、低遅延データと耐遅延データとの共存用の他の領域など、他のタイプの領域が存在してよい。例えば、時間／周波数リソースは、低遅延領域と共存領域とに区分されてよく、または、耐遅延領域と共存領域とに区分されてよい。時間／周波数リソースの区分が時分割多重化（ＴＤＭ）に基づく区分、周波数分割多重化（ＦＤＭ）に基づく区分、または任意の他の適した方式の区分であり得ること、および、そのような区分は、時間的に動的または半静的に変化してよいことも考えられる。
【００２７】
低遅延通信に使用するリソースは、スロットと呼ばれる時間間隔に区分されてよい。低遅延通信に使用するスロットを、「低遅延スロット」または「ミニスロット」と呼ぶことがある。いくつかの実施形態において、スロットは、特定数のＯＦＤＭシンボル、例えば７ＯＦＤＭシンボルまたは１４ＯＦＤＭシンボル、と定義されてよい。低遅延スロットの継続時間の一例を１４２に示す。低遅延スロットは、符号化されたトランスポートブロックを低遅延ＵＥへまたは低遅延ＵＥから搬送する。いくつか場合では、符号化されたトランスポートブロックは、複数のスロットに及んでよいと考えられる。低遅延スロットは、特定数のＯＦＤＭシンボル、例えば７ＯＦＤＭシンボル、または、任意の他の整数個のＯＦＤＭシンボル、を含む。低遅延スロットは、実装例に応じて、サブフレーム継続時間に等しいか、サブフレーム継続時間より長いか、またはサブフレーム継続時間より短くてよい。低遅延スロットの継続時間は、実装例に応じて、１つの送信時間単位（ＴＴＵ）に等しくてよく、または、複数のＴＴＵを含んでよい。ゆえに、本明細書においては「低遅延スロット」が使用されるが、低遅延スロットがサブフレームと同じ継続時間を有する実装例では、それは互換的に「低遅延サブフレーム」と呼ばれてよい。また、「低遅延スロット」は、低遅延スロットがＴＴＵと同じ継続時間を有する実装例では、互換的に「低遅延ＴＴＵ」と呼ばれてよい。また、ＴＴＵは、送信時間間隔（ＴＴＩ）と呼ばれるときもある。耐遅延トラフィックは、任意で低遅延トラフィックと同じスロット継続時間を使用してよいと考えられる。
【００２８】
耐遅延通信に使用されるリソースは、複数の間隔に区分されてよい。耐遅延通信に使用される間隔を、「耐遅延間隔」と呼ぶ。耐遅延間隔の一例を１４４に示す。耐遅延間隔は、耐遅延ＵＥへの／耐遅延ＵＥからのデータ送信にスケジューリングまたは割り当てられてよい最小の時間間隔である。 
【００２９】
図１に示すように、低遅延スロットは、耐遅延間隔より短い継続時間を有する。より短い継続時間の低遅延スロットを送信することによって、低遅延ＵＥへの／低遅延ＵＥからのデータ送信の遅延を低減させ得る。
【００３０】
ＵＥ１０２ａ、１０２ｂ、１０４ａ、および１０４ｂの各々は、データを基地局１００に無線で送信し、データを基地局から無線で受信するための１または複数のアンテナを含む。各ＵＥ上にアンテナが１つだけ示されている。各ＵＥは、他の回路およびモジュールも含むみ得るが、分かり易くするために、それらは省略されている。例えば、ＵＥは、メモリ（図示せず）に記憶された命令を実行するプロセッサ（図示せず）を含んでよい。命令が実行された場合、プロセッサは、リソースのスケジューリングおよび／もしくは割り当て、ならびに／または、制御情報およびモニタリング設定情報の処理に関連して以下で説明されるＵＥのオペレーションをＵＥに実行させる。あるいは、以下で説明されるＵＥのオペレーションは、プロセッサではなく、ＡＳＩＣ、ＧＰＵ、またはＦＰＧＡなどの専用集積回路を使用して実装されてよい。
【００３１】
図２は、図１の基地局１００の一例およびＵＥの一例をより詳細に示すブロック図である。ＵＥは、ＵＥ１０２ａ、１０２ｂ、１０４ａ、または１０４ｂであってよい。 
【００３２】
基地局１００は、１または複数のアンテナ１２２に接続された送信部１６４および受信部１６６を有する。１つのアンテナ１２２のみが示されている。送信部１６４および受信部１６６は、送受信部として統合されてよい。送信部１６４は、基地局１００のダウンリンク物理層オペレーションの一部または全部を実装してよく、受信部１６６は、基地局１００のアップリンク物理層オペレーションの一部または全部を実装してよい。基地局１００は、ＵＥからのアップリンク送信を処理するためのメッセージ処理部１７０をさらに有する。メッセージ処理部１７０は、受信部１６６の一部であってよい。メッセージ処理部１７０は、ＵＥからのアップリンク送信を復号するためのデコーダ（図示せず）を含んでよい。基地局１００は、リソース割り当て部１６８をさらに有する。リソース割り当て部１６８は、スケジューリンググラントを生成すること、ならびに／または、リソースを共存領域、耐遅延のみの領域、および／もしくは低遅延のみの領域への区分すること、ならびに／または、サブキャリア間隔を設定すること、ならびに／または、ＵＥ１０４ａまたは１０４ｂへの耐遅延データ送信をパンクチャリング／延期／留保すること、ならびに／または、本明細書で説明する方式で、低遅延データのための自由度の高いスロット開始時間を割り当てることなどのオペレーションを実行してよい。
【００３３】
基地局１００は、制御情報生成部１６９をさらに有する。制御情報生成部１６９は、とりわけ次の情報を生成する。（１）ＵＥが、制御情報がないかモニタリングする複数の開始位置（ＯＦＤＭシンボル）をＵＥに示すモニタリング設定情報。モニタリング設定情報は、定期的なモニタリングを示してよい。例えば、ＵＥは、ｘ個のＯＦＤＭシンボル毎に一回制御情報がないかモニタリングする。（２）ＵＥが有無をモニタリングする制御情報。 制御情報は、ＵＥへのダウンリンクデータ送信を示す。 ＵＥがグラントに基づいたアップリンク（「ＵＬ」）送信をサポートする場合、ＵＥはまた、ダウンリンク（「ＤＬ」）においても制御情報をモニタリングしてＵＬグラントを受信してよい。ＵＬグラントは、リソースをＵＬデータ送信に割り当てるものである。
【００３４】
モニタリング設定情報および制御情報は、制御情報生成部１６９によって生成され、送信部１６４によってＵＥに送信される。
【００３５】
メッセージ処理部１７０、リソース割り当て部１６８、制御情報生成部１６９、ならびに／または、送信部１６４および受信部１６６の任意の信号処理コンポーネントは、メッセージ処理部１７０、リソース割り当て部１６８、制御情報生成部１６９、および／または送信部１６４／受信部１６６の機能を実行するよう構成される回路の形で実装されてよい。いくつかの実装例では、当該回路は、メモリと、メモリに記憶された命令を実行する１または複数のプロセッサとを含む。当該命令は、メッセージ処理部１７０、リソース割り当て部１６８、制御情報生成部１６９、および／または送信部１６４／受信部１６６のオペレーションを１または複数のプロセッサに実行させる。あるいは、メッセージ処理部１７０、リソース割り当て部１６８、制御情報生成部１６９、ならびに／または送信部１６４および受信部１６６の任意の信号処理コンポーネントは、メッセージ処理部１７０、リソース割り当て部１６８、制御情報生成部１６９、および／または送信部１６４／受信部１６６のオペレーションを実行するためのＡＳＩＣ、ＧＰＵ、またはプログラムされたＦＰＧＡなどの専用回路を使用して実装されてよい。さらに他の実装例では、本明細書に記載の基地局１００の機能は、メモリに記憶され、かつ１または複数のプロセッサによって実行されるソフトウェアまたはモジュールにおいて完全にまたは部分的に実装されてよい。
【００３６】
図２に示すＵＥはまた、１または複数のアンテナ１６２に接続された送信部１７４および受信部１７６を有してよい。アンテナ１６２は１つだけが図示されている。送信部１７４および受信部１７６は、送受信部として統合されてよい。送信部１７４は、ＵＥのアップリンク物理層オペレーションの一部または全部を実装してよく、受信部１７６は、ＵＥのダウンリンク物理層オペレーションの一部または全部を実装してよい。ＵＥは、グラントに基づいた、および／またはグラントフリーのアップリンク送信で送信されるメッセージを生成するための、および受信したメッセージを処理するための、メッセージ処理部１７８をさらに有する。アップリンクメッセージの生成は、メッセージにおいて送信されるデータの符号化および変調を含んでよい。受信したメッセージの処理は、ダウンリンク送信メッセージにおいて受信したデータの復号および復調を含んでよい。例えば、メッセージ処理部１７８は、基地局１００からのダウンリンク送信を復号するためのデコーダ（図示せず）を含んでよい。いくつかの実施形態では、メッセージ処理部１７８は、（例えば、指示子の形で）ダウンリンク送信に存在する更新情報を処理して、復号対象から外されるべきダウンリンク送信メッセージ内の特定のデータ（例えば、パンクチャリングされたデータまたは留保されたデータ）が存在するか否かを判断する。
【００３７】
ＵＥは、基地局１００から受信したモニタリング設定通知を処理するための、および、モニタリング設定通知にしたがって制御情報がないかＵＥにモニタリングさせるための、制御情報処理部１７９をさらに有する。モニタリング設定通知は、シグナリングである。制御情報処理部１７９はまた、例えばＵＥへのダウンリンク送信が存在するか否かを判断するべくモニタリングをしているときに受信した制御情報を処理する。
【００３８】
メッセージ処理部１７８、制御情報処理部１７９、ならびに／または送信部１７４および受信部１７６の任意の信号処理コンポーネントは、メッセージ処理部１７８、制御情報処理部１７９、送信部１７４、および／または受信部１７６の機能を実行するよう構成される回路の形で実装されてよい。いくつか実装例では、当該回路は、メモリと、メモリに記憶された命令を実行する１または複数のプロセッサとを含む。当該命令は、メッセージ処理部１７８、制御情報処理部１７９、および／または送信部１７４／受信部１７６のオペレーションを１または複数のプロセッサに実行させる。あるいは、メッセージ処理部１７８、制御情報処理部１７９、ならびに／または送信部１７４および受信部１７６の任意の信号処理コンポーネントは、メッセージ処理部１７８、制御情報処理部１７９、および／または送信部１７４／受信部１７６のオペレーションを実行するためのＡＳＩＣ、ＧＰＵ、またはＦＰＧＡなどの専用回路を使用して実装されてよい。さらに他の実装例では、本明細書に記載のＵＥの機能は、メモリに記憶され、かつ１または複数のプロセッサによって実行されるソフトウェアまたはモジュールにおいて完全にまたは部分的に実装されてよい。 
【００３９】
低遅延データは、本質的にバースト的または散発的なデータであってよく、ショートパケットで送信されてよい。スロット中に低遅延ＵＥへの／低遅延ＵＥからの送信が行われ、従来、スロットは次々に開始するものである。低遅延スロットの継続時間の途中で低遅延データが送信されるべく到着し、低遅延データを送信する前に次の低遅延スロットの開始まで待機する必要がある場合、遅延がもたらされる。その遅延は、送信がグラントフリーで行わるか、またはグラントに基づいて行われるかに関わらず生じる。
【００４０】
共存領域１３０の、または低遅延トラフィックを含む任意の領域の、低遅延スロットの開始時間がより自由度の高い、システムおよび方法が開示される。例えば、図３は、共存領域１３０をより詳細に示す。低遅延スロットは、既定の開始ポイントＡ、Ｂ、Ｃ、またはＤのみから始まるのではなく、その代わりに、スロットは、ｘ個のＯＦＤＭシンボル毎に始まってよい。すなわち、各開始位置は、隣り合う開始位置からｘ個のＯＦＤＭシンボル分離れて生じる。ｘは、１ＯＦＤＭシンボルと同じくらい小さくてよい。図３では、ｘは、１ＯＦＤＭシンボルの継続時間となっているが、これは一例に過ぎない。 図３では、後続の既定の開始位置は、５ｘ個のＯＦＤＭシンボルの間隔を有する。 その代わりに、いくつかの実施形態では、ｘを、既定の無線パラメータ（ｎｕｍｅｒｏｌｏｇｙ）の、整数個のＯＦＤＭシンボルに対応する、例えばｘミリ秒といった時間単位で測定してもよい。 このことは、ＵＥに係る送信を、無線パラメータに関わらずｘミリ秒毎に開始されるよう構成することができ、また、ｘミリ秒は、無線パラメータが異なれば異なる数のシンボルを含み得ることを示唆している。例えば、ｘを０．５ｍｓとすると、ノーマルＣＰのオーバーヘッドの場合、ｘは、１５ｋＨｚのサブキャリア間隔に基づけば７シンボルに相当し、３０ｋＨｚのサブキャリア間隔に基づけば１４シンボルに相当し、６０ｋＨｚのサブキャリア間隔に基づけば２８シンボルに相当する。したがって、シンボル数で考えると、可能な開始位置の周期はスケーリング可能であり得る。 
【００４１】
図３において、低遅延スロットの継続時間は固定されてはいるが、スロット開始時間は設定可能なので、より自由度が高い。いくつかの実施形態において、複数の異なるＵＥに割り当てられた低遅延スロットが共存してよく、場合によっては、重複するリソースを使用する。低遅延スロットの継続時間は、ＵＥが異なれば異なっていてよい。また、低遅延送信および耐遅延送信の両方が共存し得る時間−周波数領域に関して実施形態が提示されているのだが、自由度の高い開始位置に関する本明細書に記載の原理は、この高い自由度を有することで恩恵を受ける任意の時間−周波数領域に適用可能であり得る。さらに、自由度の高い開始位置の原理は、以下の例および実施形態において示すように、ＴＤＤシステムおよびＦＤＤシステムの両方に適用可能であり得る。
【００４２】
さらに図３に関して、より一般的には、特定の時間間隔はＮ個のＯＦＤＭシンボルを有してよく、低遅延送信は、ｋ＜Ｎであるｋ個のＯＦＤＭシンボルの継続時間を有してよい。低遅延送信は、当該時間間隔内の、ｍ＞Ｎ／ｋであるｍ個の可能なＯＦＤＭシンボル位置のいずれか１つから始まり得る点で有利である。これは一例に過ぎないことに留意されたい。上述したように、低遅延送信は、所与の無線パラメータの時間間隔内において、ｘ個のＯＦＤＭシンボル毎に始まるよう構成されてよい。 
【００４３】
ここで、さらにいくつかの具体的な例示的実施形態を説明する。以下に説明する時間／周波数リソースは、時間／周波数リソース１２６の一部であってよい。
【００４４】
図４は、１つの実施形態に係る時間／周波数リソース２０２の一部を示す。「Ｄ」と表示されたブロックはダウンリンクＯＦＤＭシンボルであり、「Ｕ」と表示されたブロックはアップリンクＯＦＤＭシンボルであり、「ＧＰ」と表示されたブロックは、データ送信が行われないガード期間として使用されるＯＦＤＭシンボルの継続時間である。他の図においても、「Ｄ」、「Ｕ」、および「ＧＰ」の表記を使用する。しかしながら、ガード期間によって隔てられた、同じ時間間隔内のアップリンクシンボルおよびダウンリンクシンボルに関して説明される全ての実施形態において、当該実施形態は、アップリンクのみ、またはダウンリンクのみの時間間隔にも、その適用対象となる場合には、等しく適用され得ることを理解されたい。これらの例において、複数のシンボルが共通の耐遅延間隔内に生じるのか否か、または、複数のシンボルが耐遅延トラフィックと共に共存するのか否かに関わらず、スロットは複数のシンボルを含んでよい。また、耐遅延間隔は、低遅延送信の継続時間より長い任意の間隔であってよいことにも留意されたい。 
【００４５】
１つの耐遅延間隔に等しい継続時間を図４に示す。図示した時間間隔は、「ダウンリンク優位」である。なぜなら、アップリンクＯＦＤＭシンボルよりダウンリンクＯＦＤＭシンボルの方が多く含まれているからである。また、当該時間間隔は、「自己完結型時分割複信（ＴＤＤ）時間間隔」と呼ばれてよい。なぜなら、ダウンリンクＯＦＤＭシンボルおよびアップリンクＯＦＤＭシンボルの両方が存在するからである。時間／周波数リソース２０２のうちの図示された部分は、耐遅延間隔に等しい自己完結型ＴＤＤ時間間隔を有すると呼ばれてよい。より一般的には、当該間隔は、少なくとも１つのＤＬからＵＬへの切り替えポイントから成る。
【００４６】
図４では、低遅延データを送信するための３つのダウンリンク低遅延スロット２０４、２０６、および２０８が存在する。一例として、基地局１００が低遅延ＵＥ１０２ａに送信する低遅延データを有する場合、基地局１００は、ダウンリンク低遅延スロット２０４に低遅延データをスケジューリングしてよい。しかしながら、低遅延スロット２０４中に、低遅延ＵＥ１０２ｂ用の低遅延データが基地局１００に到着した場合、基地局１００は、データを低遅延ＵＥ１０２ｂに送信するのに第２番目の低遅延スロット２０６の開始まで待機する必要がある。第２番目の低遅延スロット２０６の開始まで待機することにより、許容できない量の遅延がもたらされ得る。この例では、ＤＬシンボルを含む当該間隔内のいくつかの予め決められた位置からしかＤＬ送信を始めることができない。他のスロット構成が可能である。スロットは、時間的に非連続的なシンボルを含むことがある。例えば、スロットは、１つの耐遅延間隔において最後の１または複数のダウンリンクシンボルを含み、次の耐遅延間隔において最初の１または複数のダウンリンクシンボルを含むことがある。これは、低遅延送信が、時間的に非連続的なＯＦＤＭシンボルを含み得ることを示唆している。これは、いくつかのＯＦＤＭシンボルは、ＵＥ側から見れば不明なものまたは予約されたものであってよく、それらは制御および／またはデータの送信および／または受信に使用されないことがあるという事実に起因するものである。そのようなシンボルを回避する低遅延送信を可能にし得る。 
【００４７】
図５は、低遅延スロットが始まり得る位置に高い自由度がある別の実施形態に係る時間／周波数リソース２２２の一部を示す。図５では、２２４に示すように、低遅延ダウンリンクスロットが、最初の８つのダウンリンクＯＦＤＭシンボルのうちのいずれか１つから始まり得る。アクセス遅延の低減または最小化を試みるべく、低遅延スロットの開始位置を、自由度の高いものにすることができる。この例では、ｘは１ＯＦＤＭシンボルである。図５の実施形態では、低遅延スロットの継続時間は３ＯＦＤＭシンボルであり、そのため、低遅延スロットは、最後の２つのダウンリンクＯＦＤＭシンボルの初めからは開始することができない。あるいは、いくつかのＵＥは、上述したような非連続的な送信をサポートするならば、最後の数個のＤＬシンボルにおいて送信を受信し得る。しかしながら、耐遅延間隔がダウンリンクシンボルしか含まない場合、低遅延スロットは任意のシンボルの初めから開始し得ると考えられる。図２の「Ｎ」および「ｋ」の表記を使用すれば、図５の例においてはＮ＝１０、ｋ＝３であり、低遅延スロットの開始は、最初のｍ＝Ｎ−ｋ＋１＝８個のダウンリンクＯＦＤＭシンボルのいずれか１つから始まってよい。
【００４８】
３ＯＦＤＭシンボルという低遅延スロットの継続時間は、一例に過ぎない。低遅延スロットのＯＦＤＭシンボル数は、それより多くても少なくてもよい。同様に、ダウンリンクＯＦＤＭシンボル数、アップリンクＯＦＤＭシンボル数、および／またはガード期間の継続時間を含む耐遅延間隔のＯＦＤＭシンボル数は、図示した実施形態とは異なっていてよい。また、低遅延ＵＥ用の制御情報のフォーマットおよび位置は、実装例によって個別のものである。１つの実施形態において、ダウンリンク低遅延データ送信の受信途中ではない各低遅延ＵＥは、最初の８つのダウンリンクＯＦＤＭシンボルの各々の開始時に制御情報をモニタリングして、低遅延ＵＥへのダウンリンク低遅延データ送信がそのＯＦＤＭシンボルから始まるか否かを判断する。この例は、いくつかのＵＥが、シンボル（すなわち、ｘ＝１であるｘ個のＯＦＤＭシンボル）毎に制御情報をモニタリングするよう構成されてよく、いくつかの場合では、ＵＥが、データの受信中であるならば、いくつかのモニタリング機会を省略するよう構成されてよいことを示唆する。 
【００４９】
図６は、低遅延ＵＥ１０２ａの低遅延スロットがリソース２５２上にスケジューリングされ、低遅延ＵＥ１０２ｂの低遅延スロットがリソース２５４上にスケジューリングされる一例を示す、図５の実施形態である。継続時間が３ＯＦＤＭシンボルであるのは一例に過ぎず、実際は、２５２と２５４との継続時間は異なっていてよく、任意の数のシンボルであってよいことに留意されたい。この例では、ＵＥ１０２ａと比較してＵＥ１０２ｂの方が送信される低遅延データが多く、そのために、ＵＥ１０２ｂに割り当てられる周波数リソースの量は、ＵＥ１０２ａに割り当てられる周波数リソースの量より多い。図６では、低遅延スロットは重複することができない。ＵＥ１０２ｂ用の低遅延データが、例えば第３番目のダウンリンクＯＦＤＭシンボル２５３において早めに到着した場合、ＵＥ１０２ｂ用の低遅延データは、少なくとも第５番目のダウンリンクＯＦＤＭシンボル２５５まで送信を始めることができない。 
【００５０】
図７は、低遅延ＵＥ１０２ａの第１の低遅延スロットがリソース２６２上にスケジューリングされ、低遅延ＵＥ１０２ｂの第１の低遅延スロットがリソース２６４上にスケジューリングされ、低遅延ＵＥ１０２ａの第２の低遅延スロットがリソース２６６上にスケジューリングされ、低遅延ＵＥ１０２ｂの第２の低遅延スロットがリソース２６８上にスケジューリングされる一例を示す、図５の実施形態である。継続時間が３ＯＦＤＭシンボルであるのは一例に過ぎず、実際は、２６２と２６４と２６６と２６８との継続時間は異なっていてよく、任意の数のシンボルであってよいことに留意されたい。このことが、開始位置の自由度の高さの原理を変化させることはない。あるいは、低遅延スロットは、４つの異なる低遅延ＵＥのためのものであってよい。図７に示すように、異なる低遅延ＵＥの低遅延スロットは、時間的に重複しているが、例えば周波数ドメインにおいて直交リソースまたは非直交リソースにマッピングされてよい。 
【００５１】
図６および図７から明らかなように、複数の低遅延スロットが１つの耐遅延間隔に共存でき、各低遅延スロットの開始位置は設定可能なので自由度が高く、アクセス遅延の低減または最小化を試みることができる。低遅延データが基地局に到着したとき、低遅延通信の低遅延スロットが割り当てられる。図７と比較した場合の図６の考えられる利点は、低遅延スロット同士を重複させないことによって、干渉がより少なくなる可能性があり得ることである。また、図６の実施形態の低遅延ＵＥは、低遅延データ送信が開始を許可されたときのＯＦＤＭシンボル中において低遅延データ送信が存在するか否かを判断するべく制御情報をモニタリングしさえすればよい。このことは、設定された位置においてＵＥが制御情報をモニタリングし、ＵＥがそれを受信し検出した場合、制御情報は、ダウンリンク送信が開始可能な時間間隔において直ぐにＤＬデータ送信が行われることをＵＥに通知することを示唆する。図７の実施形態の低遅延データ送信の受信中ではない低遅延ＵＥは、自身のためにスケジューリングされた低遅延データ送信が存在するか否かを判断するべく、最初の８つのダウンリンクＯＦＤＭシンボルの各々において制御情報をモニタリングする必要がある。 
【００５２】
複数の異なるＵＥへの送信が、重複して、時間的および／または周波数的に共存することがあり、１つのＵＥに係る送信の一部分が、別のＵＥに係る送信の制御領域と重複し得ることに留意されたい。例えば、ＵＥ１０２ａに係る送信は、ＵＥ１０２ｂの制御領域と、場合によっては重複し得る。ネットワークは、１または複数のシンボルにおいてＲＲＣシグナリングによっていくつかの制御領域を設定してよく（設定された制御領域は、任意の関連付けられた周期を有しても有さなくてもよい）、当該情報を１または複数のＵＥに提供してよい。制御領域と重複する送信をＵＥが受信した場合、当該設定された領域についてＵＥが認識しているとき、ＵＥは、たとえ当該送信が時間的に当該領域と重複していても、ＵＥは、その重複領域ではデータを受信しなくてよい（例えば、ＵＥがその臨界領域を分かっているのならば、ＵＥに係る送信は、当該領域周辺でレートマッチングが行われる）。あるいは、ＵＥは、重複領域においてデータを受信してよく、異なるＵＥへの別の後の送信がその重複領域において受信された場合、前者のＵＥに係る送信は、当該重複領域において当該後の送信にプリエンプトされることがある。以下で説明するように、リソース割り当ての更新を含む何らかの制御シグナリングが最初のＵＥにシグナリングされてよい。 
【００５３】
図６および図７に示す実施形態では、低遅延ＵＥへの任意のダウンリンク送信は、耐遅延ＵＥへのダウンリンク送信の送信にも使用されるリソースを使用する。ゆえに、干渉の克服を試みるべく、例えば、耐遅延データおよび低遅延データを送信するのに異なる符号リソースを使用して、共同送信方式が使用されてよい。あるいは、耐遅延間隔中に低遅延データ送信がスケジューリングされるときはいつも、低遅延リソース上で送信される予定の耐遅延データは、パンクチャリングされるか、または後にダウンリンク送信されるよう留保されてよい。耐遅延データ送信がパンクチャリングされるか、または留保されたことを、制御信号が、影響を受ける耐遅延ＵＥに通知してよい。制御信号は、低遅延トラフィックまたは耐遅延トラフィックの送信中に１または複数の位置において多重化されてよい。耐遅延ＵＥは、耐遅延送信がスケジューリングされた後、（時間的におよび／または周波数的に設定された）１または複数の位置において、パンクチャリング情報を含む制御信号がないかモニタリングしてよい。モニタリング位置の数は、低遅延送信の継続時間に依存し得る。なぜなら、耐遅延送信の継続時間は、制御信号の有無のための複数の設定された位置にわたって広がり得るからである。 
【００５４】
図８は、別の実施形態に係る時間／周波数リソース３０２の一部を示す。１つの耐遅延間隔に等しい継続時間が示されている。示した時間間隔は「アップリンク優位」である。なぜなら、ダウンリンクＯＦＤＭシンボルよりもアップリンクＯＦＤＭシンボルの方が多く含まれているからである。また、示した時間間隔は、耐遅延間隔に等しい自己完結型ＴＤＤ時間間隔である。図８は、ＤＬからＵＬへの切り替えが存在する間隔における異なる低遅延スロット同士の重複を示しているが、重複送信の原理およびスロットアーキテクチャは、ＴＤＤシステムおよびＦＤＤシステムにおいて任意のＵＬリソースに対して適用可能であり得る。
【００５５】
複数の低遅延アップリンクスロットが共存し、図８では「Ｓ１」から「Ｓ８」として表示している。異なる低遅延スロットは、異なる低遅延ＵＥによって使用されてよく、各低遅延スロットの開始時間は、任意のシンボルの開始時に生じ得る。アップリンクの場合、ネットワークは、ＵＬリソースを複数の異なるＵＥに対して重複して設定でき、それぞれのＵＥからの異なる送信の開始位置は、異なる間隔で設定され得る。すなわち、ｘの値は、ＵＥが異なれば異なり得る。各低遅延スロットは７ＯＦＤＭシンボルの継続時間となっているが、これは一例に過ぎない。一般的には、例えばＳ２およびＳ３のように、いくつかの低遅延スロットは、時間的にも周波数的にも重複してよい。また、いくつかの低遅延スロットは、時間的に重複してよいが、他の直交リソースまたは非直交リソースにマッピングされる。例えば、スロットＳ５中にグラントフリーアップリンク送信を送信する低遅延ＵＥは、スロットＳ６中にグラントフリーアップリンク送信を送信する別の低遅延ＵＥと時間的に重複するが、この２つのグラントフリーアップリンク送信は、直交周波数リソースにマッピングされる。あるいは、いくつかまたはより多くのＵＬ送信がグラントに基づき得る。グラントに基づく送信をサポートするＵＥは、ＤＬリソースにおいてｘ個のシンボル毎に制御シグナリングをモニタリングするよう構成され得る。グラントを示す制御シグナリングが（例えば、当該間隔の初めのＤＬシンボルにおいて）受信された場合、ＵＥは、潜在的に、図８の間隔のＵＬシンボル内の任意のシンボルにおいて自身のＵＬ送信を開始できる。ＤＬ送信と同様に、ＵＬ送信の開始位置も、グラントに基づく送信およびグラントフリー送信の両方について自由度が高くなり得る。ＤＬと同様に、ＵＥは、ＵＬリソースにおける自身の送信をｘ個のシンボル毎に開始するよう構成され得る。いくつかの場合では、全てのｘ個のシンボルのうちの１または複数において、ＵＥが自身のＵＬ送信を開始することができなくことがある。それは、当該シンボルがもはやＵＬ送信に対して利用可能でなくなった場合、例えば、スロットフォーマットが変化した場合である。
【００５６】
図８の実施形態において、アップリンクリソースは、３つの周波数領域３０４、３０６、および３０８に区分される。低遅延ＵＥおよび基地局に既知のマッピングが、低遅延ＵＥが送信を行う領域３０４または３０６または３０８を示す情報を提供してよい。これは、いくつかのリソース区分が半静的にＵＥに示されることを示唆している。低遅延ＵＥが送信を行う領域３０４または３０６または３０８は、低遅延ＵＥが自身のアップリンクデータ送信を始めるアップリンクＯＦＤＭシンボルに基づいていてよい。また、図８の実施形態は、肯定応答／否定応答（「Ａ／Ｎ」）なしのアップリンク低遅延データ送信に使用され得る。この場合、シンボルは全てアップリンクシンボルであり得る。そうではなく、アップリンク低遅延データ送信がＡ／Ｎベースである場合は、ダウンリンクにおけるＡ／Ｎのより頻繁な機会を提供するべく、ダウンリンクＯＦＤＭシンボル間に介在するアップリンクＯＦＤＭシンボルの数を低減してよい。
【００５７】
図９は、別の実施形態に係る時間／周波数リソース３５２の一部を示す。１つの耐遅延間隔に等しい継続時間が示されている。図示した時間間隔は、ダウンリンク優位である。個々のＯＦＤＭシンボルは図示していない。
【００５８】
低遅延ＵＥ１０２ａおよび１０２ｂは、共存領域に日和見主義的にスケジューリングされる。低遅延データ送信のスロット開始時間は、例えば上述したように、自由度が高くてよい。しかしながら、図９では、３５６および３５８に示すように、ダウンリンク優位の低遅延自己完結型間隔が、共存領域の耐遅延間隔のＤＬ部分内にスケジューリングされる。ゆえに、この実施形態では、耐遅延間隔は、低遅延間隔より大きいか、またはそれに等しい必要がある。耐遅延領域と共存領域とは、異なる無線パラメータを使用してよいと考えられる。
【００５９】
スケジューリングされたダウンリンク低遅延リソース３６２および３６４において送信される予定の耐遅延データは、一緒に送信されるか、または、パンクチャリングされるか、または後にダウンリンク送信されるよう留保されてよい。耐遅延データ送信がパンクチャリングされるか、または留保されたことを、制御信号が、影響を受ける耐遅延ＵＥに通知してよい。低遅延自己完結型間隔３５６および３５８のガード期間およびアップリンク部分中は、ダウンリンク送信は存在せず、それは耐遅延ＵＥ領域においても存在せず、それにより、干渉が緩和される。 
【００６０】
自己完結型低遅延間隔が存在することを制御指示子が耐遅延ＵＥに通知する頻度は、設定可能であってよい。制御指示子の位置は、予め設定されてよい。当該指示子の予め設定された位置間の間隔は、低遅延スロットの継続時間に等しいか、またはそれより短くてよく、その結果、低遅延送信が、１つのスロット継続時間につき一回より高い頻度で開始され得る。例えば、スロット継続時間が３シンボルであり、低遅延送信が任意のシンボルにおいて開始されてよい場合、制御指示子の頻度はシンボル毎となる。このことは、耐遅延間隔内のＤＬシンボルの継続時間が長くなることがあり、スケジューリングされたいずれの低遅延送信のＡＣＫ／ＮＡＣＫ（「Ａ／Ｎ」）フィードバックも、少なくとも耐遅延間隔の終わりのＵＬシンボルまで待機する必要があるというシナリオを示唆している。より速いＡ／Ｎフィードバックの機会を提供するべく、１または複数の低遅延送信が、耐遅延間隔内のＵＬシンボルの前に割り当てられた、場合によってはＤＬシンボルとして既に設定されたシンボル内に割り当てられた、関連付けられたＵＬリソースでスケジューリングされ得る。ＵＥ個別のものまたはグループ共通のものであるＤＬ制御シグナリングが、ＤＬシンボルの一部をＵＬシンボルに切り替えることをＵＥに通知する。例えば、低遅延送信が存在することと、低遅延ＤＬ送信が１または複数のＵＬシンボルを伴っていることとを耐遅延ＵＥに通知する。耐遅延ＵＥは、ガード期間およびＵＬシンボル中はいずれの送信も受信しない。変化（すなわち、耐遅延間隔の一部のＤＬシンボルがＧＰ／ＵｎｋｎｏｗｎおよびＵＬシンボルに変換されたこと）を通知するＤＬ制御シグナリングは、低遅延送信をスケジューリングする制御シグナリングを受信するのと同じシンボルにおいて、または異なるシンボルにおいて、低遅延送信が始まる前もしくは後に受信され得る。一例では、（このＤＬ→ＵＬまたはＧＰ／Ｕｎｋｎｏｗｎへの切り替えの可能性を示す）制御シグナリングは、ＴＤＤシステムのＤＬシンボル内において、設定された周期でモニタリングされてよい。例えば、設定された継続時間（例えばスロット）が元々Ｎ個のＤＬシンボルを含む場合、ＵＥは、一部のＤＬシンボルがＧＰ／Ｕｎｋｎｏｗｎおよび／またはＵＬシンボルにオーバーライドされたことを示し得る動的シグナリングがないか、Ｋ個のシンボル毎にモニタリングしてよい。ここで、Ｋは、１≦Ｋ＜Ｎである。一例では、その切り替えを示すＤＬ制御シグナリングは、ＧＰ／Ｕｎｋｎｏｗｎおよび／またはＵＬシンボルの位置を耐遅延ＵＥおよび低遅延ＵＥの両方に提供してよい。一例では、ＤＬシグナリングは、新しく変換されたＤＬシンボルを表すべく、Ｕｎｋｎｏｗｎシンボルのみを示す。耐遅延ＵＥは、Ｕｎｋｎｏｗｎと示されたシンボルにおいては受信も送信もしない。低遅延ＵＥは、Ｕｎｋｎｏｗｎシンボルのうちの１または複数においてＤＬスケジューリンググラント内のＡ／Ｎリソース通知を受信してよい。すなわち、低遅延ＵＥのＵＥ個別ＤＣＩが、１または複数のＵｎｋｎｏｗｎシンボルをＵＬシンボルにオーバーライドする。この手順は、常に頻繁にＵＬ送信機会を提供するのではなく、元々のＤＬ継続時間の設定が長いことがあるＴＤＤフレーム構造内において、より速いＡ／Ｎ機会を有するようＤＬ低遅延送信を提供する。ＵＬリソースは、特に低遅延ＤＬ送信が、より速いＡ／Ｎフィードバックを必要としてスケジューリングされるときに、要求に応じて設定される。切り替えを示すＤＬ制御シグナリングは、切り替えが必要なときのみ送信される。しかしながら、ＵＥはそれでもなお、設定された位置においてモニタリングを行う必要があってよい。ＤＬ制御シグナリングは、Ｕｎｋｎｏｗｎおよび／またはＵＬとして、（耐遅延間隔のＤＬシンボル内のＯＦＤＭシンボルのグループ内などにおいて）基準間隔内において連続シンボルのセットを示してよい。例えば、ＤＬシンボルの始まりまたは任意の他の位置などの基準位置に関して、シグナリングは、開始位置および継続時間のうちの１つもしくは両方を、または、開始位置および終了位置のうちの１つもしくは両方を示してよい。連続シンボルの継続時間／長さが予め設定されている場合、開始位置を示せば十分であり得る。ＤＣＩまたはＰＤＣＣＨによってオーバーライドされない限り、ＵＥは、Ｕｎｋｎｏｗｎと示されたシンボルに対して何のアクションも取らない。示されたＵＬシンボルは、それがもし存在する場合、低遅延ＵＥおよび耐遅延ＵＥのいずれかまたは両方によって使用され得る。新しく変換されたＵＬシンボルは、Ａ／Ｎフィードバックのみならず、スケジューリング要求（ＳＲ）送信またはサウンディング参照信号（ＳＲＳ）送信にも使用され得る。一例では、耐遅延ＵＥは、ＵＬシンボルを使用して、早期のＡ／Ｎフィードバックを送信するよう構成されてよい。別の例では、低遅延ＵＥおよび耐遅延ＵＥのいずれかまたは両方が、示されたＵＬシンボルにおいてＡ／Ｎフィードバックを送信するよう構成されてよい。
【００６１】
いくつかの実施形態において、低遅延自己完結型間隔３５６および３５８における低遅延データ送信は、耐遅延データ送信と比較して無線パラメータが異なっていてよい。例えば、耐遅延データ送信は３０ｋＨｚのサブキャリア間隔を使用してよく、低遅延データ送信は６０ｋＨｚのサブキャリア間隔を使用してよい。３０ｋＨｚのサブキャリア間隔ではなく６０ｋＨｚのサブキャリア間隔を使用することによって、低遅延送信のＯＦＤＭシンボルは、耐遅延送信のＯＦＤＭシンボルより短くなるであろう。これは、一方の無線パラメータのシンボルのうちの少なくともいくつかのシンボルの開始時間および終了時間を、他方の無線パラメータのシンボルの開始時間および終了時間と揃えるというようなシンボル調整をした上で２つの異なる無線パラメータを使用することによって達成できる。この実施形態では、無線パラメータの異なる耐遅延送信と低遅延送信との間の干渉を低減するべく、フィルタまたは他の適切な手段が使用されてよい。
【００６２】
図１０は、別の実施形態に係る、ダウンリンクの時間／周波数リソース３７２の一部を示す。図示したリソースは全てダウンリンクリソースなので、「Ｄ」の表記は付加されていない。また、図１０では個々のＯＦＤＭシンボルは図示していない。 
【００６３】
リソース３７２は、耐遅延ＵＥ領域３７４と共存領域３７６とに区分される。この２つの領域は、無線パラメータが同じであってもなくてもよい。共存領域３７６では、耐遅延通信と低遅延通信との間での動的なリソース共有が存在する。耐遅延領域と共存領域とは異なる無線パラメータを使用してよいと考えられる。
【００６４】
耐遅延ＵＥ領域３７４には、相対的に大きい耐遅延データパケット、例えば、符号化したとき耐遅延間隔の継続時間となるパケット、がスケジューリングされる。共存領域３７６のスケジューリング粒度は、耐遅延領域３７４のスケジューリング粒度より小さい。例えば、図１０において、共存領域３７６ではどの耐遅延間隔にも４つのスケジューリング間隔が存在する。共存領域３７６の各スケジューリング間隔は、低遅延スロットの継続時間に等しい。共存領域３７６には、相対的に小さい耐遅延データパケット、特には、符号化したとき共存領域のスケジューリング間隔に相当するパケット、がスケジューリングされる。共存領域３７６の低遅延トラフィックは、共存領域３７６の耐遅延トラフィックとスケジューリング粒度が異なってよいと考えられる。例えば、共存領域３７６の耐遅延トラフィックのスケジューリング間隔は、共存領域３７６の低遅延トラフィックのスケジューリング間隔の整数倍であってよい。
【００６５】
耐遅延データパケットは、耐遅延間隔毎に、またはそれより短い間隔で、共存領域においてスケジューリングされてよい。共存領域の各耐遅延間隔における耐遅延データパケットのスケジューリングは、４つの低遅延スロットの継続時間を束ねることによって行われる。例えば、耐遅延データパケット３８０、３８１、３８２、および３８３が、図示した第２番目の耐遅延間隔の開始時にスケジューリングされる。４つよりも多いまたは少ない低遅延スロットが束ねられてよいと考えられる。耐遅延データパケット３８０、３８１、３８２、３８３の各々は、低遅延スロットの継続時間に対応するよう別々に符号化される。しかしながら、共存領域において、低遅延データ３９０が、送信されるべく第２番目の耐遅延間隔の第２番目の低遅延スロット中に到着する。ゆえに、スケジューリング済みの耐遅延パケット３８２が送信を留保される。この実施形態では、スケジューリング済みの耐遅延パケット３８２がパンクチャリングされるのでも一緒に送信されるのでもなく、その代わりに制止され、後に、例えば図示したように３９１において、送信されることに留意されたい。この実施形態において、データパケット３８０、３８１、３８３の受信部は、データパケット３８２を受信することなくこれらのパケットの各々を復号することができる。なぜなら、全ての４つのデータパケット３８０、３８１、３８２、３８３は、別々に符号化されるからである。その結果、低遅延データ３９０の送信がデータパケット３８０、３８１、３８３の受信の邪魔をすることはなく、データパケット３８０、３８１、３８３を再送信する必要はない。
【００６６】
ＦＤＭが、共有リソースにおいてｅＭＢＢ（より一般的には耐遅延ＵＥ）とＵＲＬＬＣ（より一般的には低遅延ＵＥ）とを共にスケジューリングする上で高い自由度を提供する。図１０において、ｅＭＢＢのみの領域および共存領域の２つの領域が特定される一例を示す。ｅＭＢＢデータの大パケットがｅＭＢＢのみの領域においてスケジューリングされ得る一方で、いくつかのｅＭＢＢの小パケットが共存領域においてＵＲＬＬＣトラフィックと共存してよい。オーバーヘッドを減らすべく、共存領域において複数のＵＲＬＬＣスロットを束ねることによってｅＭＢＢがスケジューリングされ得る。ｅＭＢＢがスケジューリングされた後にＵＲＬＬＣパケットが到着した場合、システムは、ｅＭＢＢの１または複数のパケットの送信を延期し、リソースをＵＲＬＬＣトラフィックに割り当てる。送信中に、このことをｅＭＢＢ  ＵＥに通知することができる。これは、ｅＭＢＢスロットがＵＲＬＬＣスロットより間隔が長いとき、ＴＤＭに基づいた共存の場合ならば必要なパンクチャリングを必要としない。
【００６７】
図１０において、共存領域３７６においてスケジューリングされた低遅延パケットは、「ＬＬ」と表示されている。図示していないが、耐遅延間隔の第１番目のスケジューリング間隔において低遅延パケットがスケジューリングされてよい。いずれの場合でも、共存領域３７６のある耐遅延パケットの送信が延期されたことを、影響を受ける耐遅延ＵＥに知らせるべく、適切な制御情報が必要である。いくつかの実施形態において、耐遅延パケットの送信が延期されたことを耐遅延ＵＥに通知する制御情報は、低遅延スロットの開始時に低遅延制御情報と多重化されてよい。低遅延制御情報は、当該スロット中に低遅延データ送信がスケジューリングされたことを低遅延ＵＥに示すことになろう。 
【００６８】
オペレーション中、耐遅延領域３７４には相対的に大きい耐遅延パケットがスケジューリングされる。領域３７４においてデータを受信する耐遅延ＵＥは、低遅延送信によって送信が中断されたか否かを確認するべく制御情報をモニタリングする必要はない。なぜなら、領域３７４は耐遅延データの送信のみに充てられるからである。共存領域３７６には相対的に小さい耐遅延パケットがスケジューリングされ、共存領域３７６においてデータを受信する耐遅延ＵＥは、これらのＵＥのスケジューリングされたパケットのうちのいずれかの送信が低遅延送信によって中断され延期されたか否かを確認するべく制御情報をモニタリングする。これは、耐遅延ＵＥのデータが、両方のトラフィックがスケジューリングされ得る設定された時間−周波数リソース３７６（すなわち、図１の領域１３０）と重複する場合、耐遅延ＵＥは、スケジューリング割り当ての更新またはパンクチャリングの情報を提供する通知がないかモニタリングする必要があることを示唆している。パンクチャリング通知のモニタリングを有効にするようＵＥに設定通知が提供され得る。ＵＥは、設定された共存領域に重複して自身のデータがスケジューリングされた後、モニタリングを行う。１または複数のＵＥにプリエンプションまたはパンクチャリングの情報を提供するパンクチャリング通知ペイロードは、エラーの訂正または検出を容易にするべく、巡回冗長検査（ＣＲＣ）を含み、または添付され得る。ＣＲＣは、ブラインド検出が容易になるよう、対象の受信部または受信部群に固有の識別子（例えば、従来のＰＤＣＣＨ構造において使用されるような無線ネットワーク一時識別子（ＲＮＴＩ）でマスキングまたはスクランブルされ得る。当該通知ペイロードは、Ｐｏｌａｒ符号化、低密度パリティ検査（ＬＤＰＣ）符号化、およびターボ符号化などの種々のチャネル符号化技術で符号化されてよく、２値位相シフトキーイング（ＢＰＳＫ）、直交位相シフトキーイング（ＱＰＳＫ）、多値直交振幅変調（Ｍ−ＱＡＭ）などの種々の変調方式で変調される。ここで、Ｍは、２の任意の整数倍であってよく、または２Ｎであってよい。Ｎは正の整数である。例えば、Ｎは、｛１，２，３，４，５，６，７，８｝のうちの１つであってよい。復調参照信号（ＤＭＲＳ）密度は、Ｊ／Ｋ＜１であってよい。ここで、ＪおよびＫは、正の整数である。例えば、Ｊは１であってよく、Ｋは、｛２，３，４，５，６，７，８｝のうちの１つであってよい。別の例では、Ｊは２であってよく、Ｋは｛３，５，７｝のうちの１つであってよい。ＤＭＲＳ密度の集合がＵＥにおいて設定されてよく、１つが所与の無線パラメータ用に（ＵＥによって）使用され得る。ロバスト性を向上させるべく、リソース要素グループ（ＲＥＧ）間またはＲＥＧの束（束のサイズは、２、３、４、５、または６のサイズであり得る）の間でのインターリーブも使用され得る。キャリア毎にパンクチャリング通知（ＰＩ）が設定され得る。すなわち、ＵＥが複数のキャリア上で送信を受信する場合、ＵＥは、各キャリアにおいてＰＩがないかモニタリングすることが必要であり得る。あるいは、ＰＩを設定して複数のキャリア上のプリエンプションに対処することができ、ＵＥは、ＰＩが設定されている集約されたキャリアのうちの１つのみにおいてＰＩがないかモニタリングする。 
【００６９】
一例では、耐遅延ＵＥは、低遅延パケットが第１番目のスロットにスケジューリングされているのか、またはその後のスロットにスケジューリングされているのかに関わらず、耐遅延間隔の初めにおいて制御情報を受信する。低遅延トラフィックが第１番目のスロットにおいて到来する場合、耐遅延トラフィックの制御信号と低遅延トラフィックの制御信号とは、第１番目のスロットの最初の数シンボルにおいて多重化される。制御情報は、第１番目のスロットはもはや耐遅延通信に割り当てられていないが、残りのスロットまたは残りのスロットの一部は耐遅延通信に割り当てられていることを耐遅延ＵＥに通知してよい。加えて、束ねられた１または複数のｅＭＢＢ（耐遅延）スロットの送信が延期される場合、低オーバーヘッド指示子が、更新されたスケジューリングをｅＭＢＢ（耐遅延）ＵＥに通知できる。後に基地局が、延期またはパンクチャリングされた送信をさらにスケジューリングできる。 
【００７０】
代替的な例において、耐遅延ＵＥは、スロットのいずれかにおいて定期的な制御情報を受信する選択肢を有する。例えば、ＵＲＬＬＣ（低遅延ＵＥ）に第１番目のスロットが使用される場合、耐遅延ＵＥが第１番目のスロットにおいて制御信号を検出しなかったとき、耐遅延ＵＥは、後続のスロットにおいて定期的な制御情報を探してよい。
【００７１】
耐遅延データの場合、４つのスロット、３つのスロット、もしくは２つのスロットを束ねて、または個々に、スケジューリングが行われ得る。例えば、間隔が４つのスロットを含む場合、２つのスロットを束ねるための制御は、第３番目のスロットにおいて到来してよい。
【００７２】
図１１および図１２は、図１０に関連して上述した実施形態のいくつかの具体例を示す。図１１および図１２では、ガード期間およびアップリンク期間はいずれも、それぞれ「ＧＰ」および「Ｕ」と表示している。時間／周波数リソース３７２の残りの部分は、ダウンリンク送信用である。日和見主義的にスケジューリングされた例示的な低遅延データは、「ＬＬ」を使用して示している。図１１および図１２では、個々のＯＦＤＭシンボルは図示していない。
【００７３】
図１１において、共存領域３７６は、無線パラメータが耐遅延領域３７４のものとは異なる。具体的には、共存領域のサブキャリア間隔は６０ｋＨｚであり、耐遅延領域のサブキャリア間隔は３０ｋＨｚである。また、１つの０．２５ｍｓ間隔内に２つのダウンリンク低遅延スロットが存在する。 
【００７４】
ゆえに、いくつかの実施形態では、耐遅延通信と低遅延通信との共存に対して、周波数分割多重化（ＦＤＭ）に基づいた無線パラメータの多重化が使用され得る。いくつかの実施形態では、異なる無線パラメータに対して同じスロット定義、例えば７ＯＦＤＭシンボル、を使用でき、それにより実装が簡略化され得る。いくつかの実施形態では、例えば異なる時間／周波数リソースを使用することによって、低遅延通信および耐遅延通信に直交リソース割り当てを使用し得る。あるいは、ＳＣＭＡなどの非直交リソース割り当てを使用し得る。 
【００７５】
図１１は、ｅＭＢＢのみの領域（すなわち、耐遅延ＵＥ領域）と共存領域とを特定する一例を示す。ｅＭＢＢのみの領域において、ｅＭＢＢの大パケットがより長い間隔（例えば、０．２５ｍｓまたはそれより長い間隔）にわたってスケジューリングされる。共存領域では、ＵＲＬＬＣとｅＭＢＢとが一緒にスケジューリングされ得る。特には、ｅＭＢＢの小パケットがその領域において割り当てられ得る。複数のＵＲＬＬＣスロット（例えば、各スロットは０．１２５ｍｓであり得る）がｅＭＢＢ間隔内に収まり得る。ｅＭＢＢパケットは、各０．２５ｍｓ間隔の初めにおいて、共通の制御情報で共存領域のＵＲＬＬＣスロットを束ねることを採用してよく、それによりオーバーヘッドが低減する。 
【００７６】
図１２では、領域３７４および３７６の両方において無線パラメータが同じであり、６０ｋＨｚのサブキャリア間隔となっている。図示された０．２５ｍｓ時間間隔内に２つの自己完結型ＴＤＤ間隔が存在する。図１１と比較したときの図１２の考えられる利点は、アップリンク期間が０．１２５ｍｓ毎に存在するので、アップリンクの肯定応答および否定応答がより低遅延で送信され得ることである。 
【００７７】
ダウンリンクとアップリンクとの間の切り替え時間は、ＵＲＬＬＣへの遅延制約、オーバーヘッド、および他の考慮事項に応じて、０．２５ｍｓまたは０．１２５ｍｓに設定され得る。この手法は、ｅＭＢＢスロットのリソースがＵＲＬＬＣにスケジューリングされた場合、ｅＮｏｄｅＢは、そのスロットのｅＭＢＢパケットを後に送信するよう試みるのでパンクチャリングを必要とせず、これにより、ハイブリッド自動再送要求（ＨＡＲＱ）手順の変更（例えば、符号ブロックレベルのＨＡＲＱ、ｅＭＢＢ送信をバースト性干渉から保護するための外符号、または劣化した送信に対処するための重み付けしたＨＡＲＱ合成）を必要としないことに留意されたい。束ねられた１または複数のｅＭＢＢスロットの送信が延期またはパンクチャリングされた場合、低オーバーヘッドの指示子が、更新されたスケジューリングをｅＭＢＢ  ＵＥに通知することができる。１または複数のＤＬシンボルにおけるＵＥ個別またはＵＥ共通のサーチスペースが、パンクチャリング通知を耐遅延ＵＥが受信するべく、現在のスロットフォーマット（すなわち、シンボルがＤＬ、ＵＬ、Ｇａｐ／Ｕｎｋｎｏｗｎであるスロットフォーマット）に基づいて設定され得て、当該ＵＥは、パンクチャリング通知のいくつかのモニタリング機会を省略してよい。 
【００７８】
上記の実施形態において説明したように、ＵＥへのダウンリンク送信に対する、時間間隔（例えばスロット）の開始時間または開始位置は、より自由度が高くてよい。例えば、図３に関連して先に説明したとおり、ダウンリンク送信時間間隔は、フレームまたはサブフレームの既定の開始ポイントにおいて始まるのではなく、その代わりにｘ個のＯＦＤＭシンボル毎に始まる可能性があり得る。 ｘは、１ＯＦＤＭシンボルと同じくらい小さくてよい。ゆえに、ＵＥは、制御情報がないか定期的にモニタリングするよう構成される。ここで、制御情報は、当該ＵＥへのダウンリンク送信を示す。ＵＥは、ｘ個のＯＦＤＭシンボル毎に一回、制御情報がないかモニタリングするよう命令されてよい。 
【００７９】
図１３は、１つの実施形態に係る、基地局１００および２つのＵＥによって行われる方法である。２つのＵＥを、「ＵＥ１」および「ＵＥ２」と呼ぶ。段階４２２において、基地局１００は、モニタリング設定シグナリングをＵＥ１に送信する。図１３では、モニタリング設定シグナリングを「モニタリング設定通知」と呼ぶ。モニタリング設定通知は、制御情報がないかをＵＥ１がいつモニタリングするべきかを示す。例えば、設定通知は、モニタリングが実行されるべき具体的なＯＦＤＭシンボル、モニタリング周期、および／または、（制御情報によって示される）ダウンリンク送信時間間隔が始まり得る開始位置を示してよい。図１３では、設定通知は、ＵＥ１用のｘ個のＯＦＤＭシンボルのモニタリング周期を示す。例えば、図５の実施形態を仮定した場合、制御情報がないかＵＥ１がモニタリングするべき最初のダウンリンクＯＦＤＭシンボルは、図５に示した第１番目のダウンリンクＯＦＤＭシンボルであり、また、周期はｘ＝１であり、それにより、ＵＥ１は、図５の２２４において示すように、制御情報がないか各ＯＦＤＭシンボルの開始時においてモニタリングするよう命令される。制御情報は、ＵＥ１へのダウンリンク送信を示す。制御情報は、ダウンリンクスケジューリンググラントであってよい。
【００８０】
段階４２３において、ＵＥ１は、モニタリング設定通知にしたがって、制御情報がないかモニタリングする。
【００８１】
段階４２４において、基地局１００はまた、（モニタリング設定通知と呼ばれる）モニタリング設定シグナリングをＵＥ２に送信する。モニタリング設定通知は、制御情報がないかをＵＥ２がいつモニタリングするべきかをＵＥ２に示す。ＵＥ１に関しては、ＵＥ２用の設定通知は、モニタリングが実行されるべき具体的なＯＦＤＭシンボル、モニタリング周期、および／または、（制御情報によって示される）ダウンリンク送信時間間隔が始まり得る開始位置を示してよい。一般的に、制御情報がないかＵＥ２がモニタリングを行うＯＦＤＭシンボルは、制御情報がないかＵＥ１がモニタリングを行うＯＦＤＭシンボルとは異なってよい。この一例が図６に関連して理解され得る。ＵＥ１が図６のＵＥ１０２ａであり、ＵＥ２が図６のＵＥ１０２ｂである場合、ＵＥ１０２ａに対応する第１番目のＯＦＤＭシンボル（図示した時間間隔の第２番目のＯＦＤＭシンボル）は、ＵＥ１０２ｂに対応する第１番目のＯＦＤＭシンボル（図示した時間間隔の第６番目のＯＦＤＭシンボル）とは異なる。 
【００８２】
一般的に、ＵＥ１のモニタリング周期はＵＥ２と異なっていてよい。図１３の例では、ＵＥ１は、ｘ個のＯＦＤＭシンボル毎に制御情報がないかモニタリングするよう構成され、ＵＥ２は、ｚ個のＯＦＤＭシンボル毎に制御情報がないかモニタリングするよう構成される。しかしながら、ｘとｚは等しくてよい。
【００８３】
段階４２６において、ＵＥ１がモニタリングを行ったダウンリンクＯＦＤＭシンボルにおいて制御情報がＵＥ１に送信される。制御情報は、特定の時間間隔内に、基地局１００からＵＥ１に向かうダウンリンク送信があることを示す。いくつかの実施形態では、制御情報はダウンリンクスケジューリンググラントであってよい。
【００８４】
段階４２８において、基地局１００からＵＥ１にダウンリンク送信が送信される。ダウンリンク送信は、ｋ個のＯＦＤＭシンボルの継続時間を有する。 いくつかの実施形態では、ＵＥ１へのダウンリンク送信は、当該特定の時間間隔内のいずれか１つのシンボル（例えば、当該時間間隔内のｍ＞Ｎ／ｋであるｍ個の可能なＯＦＤＭシンボル位置）で始まり得る。しかしながら、ダウンリンク送信について、他の可能性も存在する。 
【００８５】
一例として、ＵＥ１が図６のＵＥ１０２ａである場合、段階４２６の制御情報は、図示した時間間隔の第２番目のダウンリンクＯＦＤＭシンボルにおいて送信され、制御情報およびデータの送信は３ＯＦＤＭシンボルの継続時間を有する。図示した時間間隔の第２番目のダウンリンクＯＦＤＭシンボルは、制御情報のみを搬送してよく、または、制御情報とデータ送信の一部との両方を搬送してよい。
【００８６】
図１３に戻ると、段階４２９において、ＵＥ２は、自身のモニタリング設定通知にしたがって自身の制御情報がないかモニタリングする。当該モニタリング設定通知は、段階４２４においてＵＥ２に送信されたものである。段階４２９は、ＵＥ１の動作と並行して行われ得る。例えば、段階４２９は、段階４２６および４２８と並行して行われてよい。
【００８７】
段階４３０において、ＵＥ２がモニタリングを行ったダウンリンクＯＦＤＭシンボルにおいて制御情報がＵＥ２に送信される。制御情報は、基地局１００からＵＥ２に向かうダウンリンク送信が特定の時間間隔中にあることを示す。いくつかの実施形態では、制御情報はダウンリンクスケジューリンググラントであってよい。
【００８８】
段階４３２において、基地局１００からＵＥ２にダウンリンク送信が送信される。ダウンリンク送信は、ｙ個のＯＦＤＭシンボルの継続時間を有する。 一般的には、ｋ≠ｙであるが、ｋとｙは等しくてよい。ＵＥ２へのダウンリンク送信はまた、当該特定の時間間隔内のいずれか１つのシンボル（例えば、ｍ＞Ｎ／ｋであるｍ個の可能なＯＦＤＭシンボル位置）から始まり得るが、ダウンリンク送信について、図６に示す例などの他の可能性も存在することを理解されたい。 
【００８９】
任意で、段階４３４において、これより後のいずれかのポイントにおいて、ＵＥ１のためにモニタリング設定が更新される。一例として、モニタリング設定は、ＵＥ１がｘ個のダウンリンクＯＦＤＭシンボル毎ではなく、ｎ≠ｘであるｎ個のダウンリンクＯＦＤＭシンボル毎に一回制御情報がないかモニタリングするよう更新されてよい。
【００９０】
任意で、段階４３６において、これより後のいずれかのポイントにおいて、ＵＥ２のためにモニタリング設定が更新される。一例として、モニタリング設定は、ＵＥ２が、これ以上制御情報がないかモニタリングしないよう更新されてよい。
【００９１】
任意選択的な段階４３４および４３６を図１３に示している。
【００９２】
図１４は、１つの実施形態に係る、ＵＥによって行われる方法である。段階４５２において、ＵＥは、設定シグナリングを受信する。設定シグナリングは、複数の開始位置を示す。各開始位置は、隣り合う開始位置からｘ個のＯＦＤＭシンボル分離れて生じる。 
【００９３】
段階４５４において、複数の開始位置のうちの少なくともいくつかの１つ１つについて、ＵＥは、当該１つ１つの開始位置において制御情報がないかモニタリングする。制御情報は、当該１つ１つの開始位置から始まる特定の時間間隔中に、ＵＥへのダウンリンクデータ送信がスケジューリングされていることを示す。
【００９４】
段階４５６において、複数の開始位置のうちの少なくともいくつかのうちの１つについて、ＵＥは、特定の時間間隔中に、制御情報およびダウンリンクデータ送信を受信する。
【００９５】
図１５は、別の実施形態に係る、基地局によって行われる方法である。段階４７２において、基地局は、設定シグナリングをＵＥに送信する。設定シグナリングは複数の開始位置を示し、ＵＥは、制御情報がないか複数の開始位置の各々においてモニタリングする。各開始位置は、隣り合う開始位置からｘ個のＯＦＤＭシンボル分離れて生じる。
【００９６】
段階４７４において、基地局は、複数の開始位置のうちの特定の開始位置において制御情報を送信する。制御情報は、当該特定の開始位置から始まる時間間隔中に、ＵＥへのダウンリンクデータ送信がスケジューリングされていることを示す。
【００９７】
段階４７６において、基地局は、当該時間間隔中にダウンリンクデータ送信を送信する。
【００９８】
図１６は、別の実施形態に係る方法である。段階５０２において、第１タイプのデータ（例えば、耐遅延データ）が、ある時間間隔中に送信される。当該時間間隔は、Ｎ個のＯＦＤＭシンボルを有する。 当該時間間隔は、耐遅延間隔の一部または全部であってよい。 段階５０４において、第２タイプのデータ（例えば、低遅延データ）が当該時間間隔内において送信される。 第２タイプのデータは、ｋ＜Ｎであるｋ個のＯＦＤＭシンボルの継続時間を有する。第２タイプのデータの送信は、当該時間間隔内の、ｍ＞Ｎ／ｋであるｍ個の可能なＯＦＤＭシンボル位置のうちの１つから始まり得る。ｍ＞Ｎ／ｋであるｍ個の可能なＯＦＤＭシンボル位置のうちの１つから始まる第２タイプのデータを有するという自由度の高さにより、遅延の低減された送信が可能になり得る。
【００９９】
いくつかの実施形態において、第１タイプのデータは耐遅延データであり、第２タイプのデータは低遅延データである。 
【０１００】
いくつかの実施形態において、第２タイプのデータを送信する段階は、ｋ個のＯＦＤＭシンボルの第１のスロットを送信する段階を含み、当該方法は、ｋ個のＯＦＤＭシンボルの第２のスロットを送信する段階であって、第２のスロットもまた、当該時間間隔内の、ｍ＞Ｎ／ｋであるｍ個の可能なＯＦＤＭシンボル位置のうちの１つから始まる、段階をさらに備えてよい。
【０１０１】
いくつかの実施形態において、第１のスロットおよび第２のスロットは、時間／周波数リソースの重複を使用しない。
【０１０２】
いくつかの実施形態において、第１のスロットおよび第２のスロットは、少なくともいくつかの重複する時間／周波数リソースを使用する。
【０１０３】
いくつかの実施形態において、ｍ≦Ｎ−ｋ＋１である。
【０１０４】
いくつかの実施形態において、ｍ＝Ｎ−ｋ＋１であり、第２タイプのデータの送信は、当該時間間隔内における、最初のＮ−ｋ＋１個のＯＦＤＭシンボルの位置のうちの１つから始まる。
【０１０５】
いくつかの実施形態において、Ｎ個のＯＦＤＭシンボルを有する時間間隔は、ＴＤＤの自己完結型間隔のダウンリンク部分であり、第１タイプのデータおよび第２タイプのデータは、ダウンリンクデータである。
【０１０６】
いくつかの実施形態において、Ｎ個のＯＦＤＭシンボルを有する時間間隔は、ＴＤＤの自己完結型間隔のアップリンク部分であり、第１タイプのデータおよび第２タイプのデータは、アップリンクデータである。
【０１０７】
いくつかの実施形態において、Ｎ個のＯＦＤＭシンボルを有する時間間隔は、ＴＤＤの自己完結型間隔のダウンリンク部分であり、第２タイプのデータは、ダウンリンクＯＦＤＭシンボルおよびアップリンクＯＦＤＭシンボルを含み、ダウンリンクＯＦＤＭシンボルとアップリンクＯＦＤＭシンボルとの間にガード期間が介在する。
【０１０８】
いくつかの実施形態において、第２タイプのデータの送信は、第１タイプの特定のデータを送信する際に使用するためにスケジューリングされた時間／周波数リソースを使用して行われ、当該方法は、第１タイプの特定のデータの送信を遅延させる段階をさらに備える。
【０１０９】
図１７は、別の実施形態に係る、基地局によって行われる方法である。段階５２２において、第１のＵＥに送信されるべき複数のデータパケットが、第１のリソース上にスケジューリングされる。第１のＵＥは耐遅延ＵＥであってよく、データパケットは、耐遅延データを搬送してよい。段階５２４において、第１のリソースの一部において当該データパケットのうちの１つを送信するのではなく、第１のリソースの当該部分において、他のデータが送信される。当該他のデータは、低遅延ＵＥ用の低遅延データであってよい。段階５２６において、基地局は、データパケットのうちの１つが第１のリソースの当該部分において送信されなかったことを第１のＵＥに信号で伝える。
【０１１０】
いくつかの実施形態において、複数のデータパケット内のあるデータは耐遅延データであり、他のデータは低遅延データである。
【０１１１】
いくつかの実施形態において、当該方法は、複数のデータパケットの各々より大きいデータパケットを、第２のリソース上にスケジューリングする段階をさらに備える。 
【０１１２】
いくつかの実施形態において、第２のリソースのサブキャリア間隔は、第１のリソースのサブキャリア間隔とは異なる。
【０１１３】
いくつかの実施形態において、基地局は、本明細書に記載の方法の実施形態のいずれか１つを行うよう構成される。
【０１１４】
いくつかの実施形態において、システムは、本明細書に記載の方法の実施形態のいずれか１つを行うよう構成される。当該システムは、複数のＵＥを含んでよい。
【０１１５】
［他の例示的動作環境］
図１８は、本開示の実施形態が実装され得る例示的な通信システム１１００を示す。一般的に、システム１１００は、複数の無線要素または有線要素がデータおよび他のコンテンツを通信することを可能にする。システム１１００の目的は、ブロードキャスト、ナローキャスト、ユーザデバイスからユーザデバイスへの通信等によって、コンテンツ（音声、データ、ビデオ、テキスト）を提供することであってよい。システム１１００は、帯域幅などのリソースを共有することによって効率的に動作し得る。
【０１１６】
この例では、通信システム１１００は、電子デバイス（ＥＤ）１１１０ａ〜１１１０ｃ、無線アクセスネットワーク（ＲＡＮ）１１２０ａ〜１１２０ｂ、コアネットワーク１１３０、公衆交換電話網（ＰＳＴＮ）１１４０、インターネット１１５０、および他のネットワーク１１６０を備える。図１８では、特定の数のこれらのコンポーネントまたは要素を図示したが、システム１１００は、適切な任意の数のこれらのコンポーネントまたは要素を含んでよい。 
【０１１７】
ＥＤ１１１０ａ〜１１１０ｃは、システム１１００において、動作し、通信し、または、その両方を行うよう構成される。例えば、ＥＤ１１１０ａ〜１１１０ｃは、無線通信チャネルを介して送信し、受信し、またはその両方を行うよう構成される。ＥＤ１１１０ａ〜１１１０ｃの各々は、無線オペレーション用の任意の適したエンドユーザデバイスを表し、ユーザ機器／デバイス（ＵＥ）、無線送受信ユニット（ＷＴＲＵ）、移動局、移動加入者ユニット、携帯電話、端末（ＳＴＡ）、マシンタイプ通信デバイス（ＭＴＣ）、パーソナルデジタルアシスタント（ＰＤＡ）、スマートフォン、ラップトップ、コンピュータ、タッチパッド、無線センサ、または家電機器といったデバイスを含んでよい（または、そのように称されてよい）。図１および図２において先に説明し紹介したＵＥは、ＥＤの例である。より一般的には、図１および図２において先に説明し紹介したＵＥは、ＥＤで置き換えられてよい。
【０１１８】
図１８では、ＲＡＮ１１２０ａ〜１１２０ｂはそれぞれ、基地局１１７０ａ〜１１７０ｂを有する。基地局１１７０ａ〜１１７０ｂの各々は、ＥＤ１１１０ａ〜１１１０ｃの１または複数と無線で相互作用して、任意の他の基地局１１７０ａ〜１１７０ｂ、コアネットワーク１１３０、ＰＳＴＮ１１４０、インターネット１１５０、および／または他のネットワーク１１６０へのアクセスを可能にするよう構成される。例えば、基地局１１７０ａ〜１１７０ｂは、送受信基地局（ＢＴＳ）、ノード−Ｂ（ＮｏｄｅＢ）、発展型ノードＢ（ｅＮｏｄｅＢ）、ホームｅＮｏｄｅＢ、ｇＮｏｄｅＢ（「ギガビット」ノードＢと呼ばれるときもある）、送信ポイント（ＴＰ）、送受信ポイント（ＴＲＰ）、サイトコントローラ、アクセスポイント（ＡＰ）、または無線ルータなどのいくつかの周知のデバイスのうちの１または複数を含んでよい（または、それらであってよい）。先に紹介した基地局１００は、基地局１１７０ａ〜１１７０ｂのうちの１つの基地局の例である。
【０１１９】
任意のＥＤ１１１０ａ〜１１１０ｃは、選択的にまたは一緒に、任意の他の基地局１１７０ａ〜１１７０ｂ、インターネット１１５０、コアネットワーク１１３０、ＰＳＴＮ１１４０、他のネットワーク１１６０、またはそれらの任意の組み合わせと相互作用し、それにアクセスし、または、それと通信するよう構成されてよい。任意で、当該システムは、ＲＡＮ１１２０ｂなどのＲＡＮを備えてよい。ここで、対応する基地局１１７０ｂは、図示するように、インターネット１１５０を介してコアネットワーク１１３０にアクセスする。
【０１２０】
ＥＤ１１１０ａ〜１１１０ｃおよび基地局１１７０ａ〜１１７０ｂは、本明細書に記載の機能および／または実施形態のうちの一部または全部を実装するよう構成され得る通信機器の例である。図１８に示す実施形態において、基地局１１７０ａは、ＲＡＮ１１２０ａの一部を形成する。ＲＡＮ１１２０ａは、他の基地局、１または複数の基地局コントローラ（ＢＳＣ）、１または複数の無線ネットワークコントローラ（ＲＮＣ）、中継ノード、要素、および／またはデバイスを含んでよい。任意の基地局１１７０ａ、１１７０ｂは、図示するような単一の要素、または対応するＲＡＮ内で分散された複数の要素、またはその他であってよい。また、基地局１１７０ｂは、ＲＡＮ１１２０ｂの一部を形成する。ＲＡＮ１１２０ｂは、他の基地局、要素、および／またはデバイスを含んでよい。各基地局１１７０ａ〜１１７０ｂは、カバレッジエリアと称されるときもある特定の地理的領域または地域内で無線信号を送信および／または受信するべく動作するよう構成されてよい。セルがセルセクタへとさらに分割されてよく、基地局１１７０ａ〜１１７０ｂは、例えば、複数の送受信部を用いてサービスを複数のセクタに提供してよい。いくつかの実施形態において、基地局１１７０ａ〜１１７０ｂは、無線アクセス技術がそのような例をサポートするピコノードまたはフェムトノードとして実装されてよい。いくつかの実施形態において、カバレッジエリア毎に複数の送受信部を設けて、多入力多出力（ＭＩＭＯ）技術を用いてよい。図示するＲＡＮ１１２０ａ〜１１２０ｂの数は、例示に過ぎない。システム１１００を考案するとき、任意の数のＲＡＮが考えられ得る。
【０１２１】
基地局１１７０ａ〜１１７０ｂは、例えばＲＦ、マイクロ波、ＩＲ等といった無線通信リンクを使用する１または複数のエアインタフェース１１９０を介して、ＥＤ１１１０ａ〜１１１０ｃのうちの１または複数と通信する。エアインタフェース１１９０は、任意の適した無線アクセス技術を利用してよい。例えば、システム１１００は、エアインタフェース１１９０において、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、またはシングルキャリアＦＤＭＡ（ＳＣ−ＦＤＭＡ）などの１または複数のチャネルアクセス方法を実装してよい。
【０１２２】
基地局１１７０ａ〜１１７０ｂは、ユニバーサル移動体通信システム（ＵＭＴＳ）地上無線アクセス（ＵＴＲＡ）を実装して、ワイドバンドＣＤＭＡ（ＷＣＤＭＡ（登録商標））を使用してエアインタフェース１１９０を確立してよい。その際、基地局１１７０ａ〜１１７０ｂは、ＨＳＰＡ、ＨＳＰＡ＋などのプロトコルを実装してよい。当該プロトコルは、任意でＨＳＤＰＡ、ＨＳＵＰＡ、またはその両方を含む。あるいは、基地局１１７０ａ〜１１７０ｂは、ＬＴＥ、ＬＴＥ−Ａ、および／またはＬＴＥ−Ｂを使用する発展型ＵＴＭＳ地上無線アクセス（Ｅ−ＵＴＲＡ）によってエアインタフェース１１９０を確立してよい。システム１１００は、上述の方式を含む複数のチャネルアクセス機能を使用してよいと考えられる。エアインタフェースを実装するための他の無線技術としては、ＩＥＥＥ８０２．１１、８０２．１５、８０２．１６、ＣＤＭＡ２０００、ＣＤＭＡ２０００  １Ｘ、ＣＤＭＡ２０００のＥＶ−ＤＯ、ＩＳ−２０００、ＩＳ−９５、ＩＳ８５６、ＧＳＭ（登録商標）、エッジ、およびＧＥＲＡＮが挙げられる。他の多元接続方式および無線プロトコルを利用してよいことは言うまでもない。
【０１２３】
ＲＡＮ１１２０ａ〜１１２０ｂは、コアネットワーク１１３０と通信して、音声、データ、および他のサービスなどの様々なサービスをＥＤ１１１０ａ〜１１１０ｃに提供する。分かり易く言うと、ＲＡＮ１１２０ａ〜１１２０ｂおよび／またはコアネットワーク１１３０は、他の１または複数のＲＡＮ（図示せず）と直接的または間接的に通信してよい。当該他の１または複数のＲＡＮは、コアネットワーク１１３０によって直接的にサービス提供されていても、されていなくてもよく、ＲＡＮ１２０ａ、ＲＡＮ１２０ｂ、またはその両方と同じ無線アクセス技術を用いても、用いなくてもよい。コアネットワーク１１３０はまた、（ｉ）ＲＡＮ１１２０ａ〜ＲＡＮ１１２０ｂ、または、ＥＤ１１１０ａ〜１１１０ｃ、またはその両方と、（ｉｉ）（ＰＳＴＮ１１４０、インターネット１１５０、およびその他のネットワーク１１６０などの）他のネットワークとの間のゲートウェイアクセスとして機能してもよい。加えて、ＥＤ１１１０ａ〜１１１０ｃのうちの一部または全部は、種々の無線技術および／またはプロトコルを使用して、種々の無線リンクを介して、種々の無線ネットワークと通信するための機能を含んでよい。ＰＳＴＮ１１４０は、基本電話サービス（ＰＯＴＳ）を提供するための回線交換電話網を含んでよい。インターネット１１５０は、コンピュータネットワーク、サブネット（イントラネット）、またはその両方を含んでよく、ＩＰ、ＴＣＰ、ＵＤＰなどのプロトコルを取り入れてよい。ＥＤ１１１０ａ〜１１１０ｃは、複数の無線アクセス技術にしたがって動作可能なマルチモードデバイスであってよく、そのようなことをサポートするために必要な複数の送受信部を組み込んでよい。
【０１２４】
図１８に図示するような通信システム１１００は、ハイパーセルと呼ばれることもある新無線（ＮＲ）セルをサポートしてよいと考えられる。各ＮＲセルは、同じＮＲセルＩＤを使用する１または複数のＴＲＰを含む。ＮＲセルのＩＤは、ＮＲセルの全ての物理ＴＲＰへの論理的な割り当てであり、ブロードキャスト同期信号において搬送されてよい。ＮＲセルは、動的に設定されてよい。ＮＲセルの境界は自由度が高くてよく、当該システムは、動的にＴＲＰを追加または削除してＮＲセルを形成する。
【０１２５】
１つの実施形態において、ＮＲセルは、ＵＥにサービス提供するＵＥ個別のデータチャネルを送信する１または複数のＴＲＰをＮＲセル内に有してよい。ＵＥ個別のデータチャネルと関連付けられた１または複数のＴＲＰもまたＵＥ個別であり、ＵＥにとってトランスペアレントである。単一のＮＲセル内において複数の並列のデータチャネルがサポートされてよく、各データチャネルは異なるＵＥにサービス提供する。 
【０１２６】
別の実施形態において、ブロードキャスト共通制御チャネルおよび個別制御チャネルがサポートされてよい。ブロードキャスト共通制御チャネルは、同じＮＲセルＩＤを共有する全部のまたは一部のＴＲＰが送信する共通のシステム設定情報を搬送してよい。各ＵＥは、ＮＲセルのＩＤに関係した情報にしたがって、ブロードキャスト共通制御チャネルからの情報を復号することができる。ＮＲセル内の１または複数のＴＲＰは、ＵＥ個別の個別制御チャネルを送信してよい。当該個別制御チャネルは、ＵＥにサービス提供し、当該ＵＥに関連付けられたＵＥ個別の制御情報を搬送する。単一のＮＲセル内の複数の並列の個別制御チャネルがサポートされてよく、各個別制御チャネルは、異なるＵＥにサービス提供する。各個別制御チャネルの復調は、ＵＥ個別の参照信号（ＲＳ）にしたがって行われてよく、当該信号のシーケンスおよび／または位置は、ＵＥ  ＩＤまたは他のＵＥ個別のパラメータと関連している。 
【０１２７】
いくつかの実施形態では、個別制御チャネルおよびデータチャネルを含むこれらのチャネルのうちの１または複数が、ＵＥ  ＩＤおよび／またはＮＲセルのＩＤなどのＵＥ個別のパラメータにしたがって生成されてよい。さらに、ＵＥ個別のパラメータおよび／またはＮＲセルのＩＤは、異なるＮＲセル同士のデータチャネルおよび制御チャネルの送信を区別するために使用され得る。
【０１２８】
ＵＥなどのＥＤは、ＵＥ専用接続ＩＤを使用して、ＮＲセル内のＴＲＰのうちの少なくとも１つを介して通信システム１１００にアクセスしてよい。当該ＵＥ専用接続ＩＤによって、ＮＲセルに関連付けられた１または複数の物理ＴＲＰがＵＥにとってトランスペアレントとなり得る。ＵＥ専用接続ＩＤは、ＮＲセル内のＵＥを一意に特定する識別子である。例えば、ＵＥ専用接続ＩＤは、シーケンスによって特定されてよい。いくつかの実装例では、ＵＥ専用接続ＩＤは、最初のアクセスの後にＵＥに割り当てられる。ＵＥ専用接続ＩＤは、例えば、ＰＨＹチャネル生成に使用される他のシーケンスおよび乱数発生器と関連していてよい。 
【０１２９】
いくつかの実施形態では、ＵＥ専用接続ＩＤは、ＵＥがＮＲセル内のＴＲＰと通信中である限り変化しない。いくつかの実施形態では、ＵＥは、ＮＲセルの境界を越えるとき、元のＵＥ専用接続ＩＤを維持することができる。例えば、ＵＥは、ネットワークからシグナリングを受信した後にだけ、自身のＵＥ専用接続ＩＤを変更することができる。 
【０１３０】
いくつかの実施形態では、通信システム１１００において任意の数のＮＲセルを実装してよい。例えば、図１９は、本開示の一実施形態に係る、例示的な通信システムの２つの隣り合うＮＲセルを示している。 
【０１３１】
図１９に示すように、ＮＲセル１２８２、１２８４はそれぞれ、同じＮＲセルＩＤを割り当てられた複数のＴＲＰを含む。例えば、ＮＲセル１２８２は、ＴＲＰ１２８６、１２８７、１２８８、１２８９、１２９０、および１２９２を含み、ＴＲＰ１２９０、１２９２は、ＵＥ１２９４などのＥＤと通信する。ＮＲセル１２８２内の他のＴＲＰがＵＥ１２９４と通信してよいことが明らかに理解されよう。ＮＲセル１２８４は、ＴＲＰ１２７０、１２７２、１２７４、１２７６、１２７８および１２８０を含む。ＴＲＰ１２９６が、異なる時間に、異なる周波数で、または、異なる空間方向で、ＮＲセル１２８２、１２８４に割り当てられ、当該システムは、送信ポイント１２９６のＮＲセルのＩＤを２つのＮＲセル１２８２と１２８４との間で切り替えてよい。当該システムにおいて、ＮＲセル間の（ゼロを含む）任意の数の共有ＴＲＰが実装されてよいと考えられる。 
【０１３２】
１つの実施形態において、当該システムは、ＮＲセルのトポロジを動的に更新して、ネットワークトポロジ、負荷分布、および／またはＵＥ分布の変化に適応する。いくつかの実装例では、１つの領域においてＵＥの密集度が増した場合、当該システムは、ＮＲセルを動的に拡張して、密集度の高くなったＵＥ付近のＴＲＰを含めてよい。例えば、当該システムは、ＮＲセルのエッジに位置するＵＥの密集度が特定の閾値より高くなった場合、ＮＲセルを拡張して他のＴＲＰを含めてよい。別の例として、当該システムは、ＮＲセルを拡張して、２つのハイパーセル間に位置するより密集度の高いＵＥを含めてよい。いくつかの実装例において、１つの領域においてトラフィック負荷が大幅に増加した場合、当該システムはまた、当該領域と関連付けられたＮＲセルを拡張して、増加したトラフィック負荷のためにＴＲＰを含めてよい。例えば、ネットワークの一部分のトラフィック負荷が既定の閾値を超えた場合、当該システムは、影響を受けた当該ネットワークの一部分への送信を行う１または複数のＴＲＰのＮＲセルのＩＤを変更してよい。 
【０１３３】
別の実施形態において、当該システムは、ＴＲＰ１２９６と関連付けられたＮＲセルのＩＤを、ＮＲセル１２８２のＮＲセルのＩＤからＮＲセル１２８４のＮＲセルのＩＤに変更してよい。１つの実装例において、当該システムは、ＴＲＰと複数の異なるＮＲセルとの関連付けを定期的に、例えば１ミリ秒ごとに、変更することができる。そのような高自由度なＮＲセル形成メカニズムによって、全てのＵＥが、実質的にはセルのエッジに位置するＵＥがないかのように、最良のＴＲＰによってサービス提供され得る。
【０１３４】
さらなる別の実施形態では、共有ＴＲＰ１２９６は、２つのＮＲセル１２８２と１２８４との間の境界に位置するＵＥへの干渉を低減することができる。２つのＮＲセル１２８２、１２８４の境界付近に位置するＵＥは、ほとんどハンドオーバを経験しない。なぜなら、共有ＴＲＰは、異なる時間において、異なる周波数で、または異なる空間方向でいずれのＮＲセルとも関連付けられるからである。さらに、ＵＥがＮＲセル１２８２と１２８４との間を移動するとき、ユーザにとってその遷移はよりスムーズな経験となる。１つの実施形態において、ネットワークは、ＴＲＰ１２９６のＮＲセルのＩＤを変更して、ＮＲセル１２８２と１２８４との間を移動するＵＥを遷移させる。
【０１３５】
図２０および図２１は、本開示に係る方法および教示を実装し得る他の例示的なデバイスを示す。特には、図２０は例示的なＥＤ１１１０（例えば、図１のＵＥのうちの１つ）を示し、図２１は、例示的な基地局１１７０（例えば、図１の基地局１００）を示す。これらのコンポーネントは、システム１１００において、または、任意の他の適したシステムにおいて使用され得る。
【０１３６】
図２０に示すように、ＥＤ１１１０は、少なくとも１つの処理ユニット１２００を備える。処理ユニット１２００は、ＥＤ１１１０の様々な処理オペレーションを実装する。例えば、処理ユニット１２００は、信号符号化、データ処理、電力制御、入出力処理、または、ＥＤ１１１０がシステム１１００において動作することを可能にする任意の他の機能を行い得る。処理ユニット１２００はまた、上記においてより詳細に説明された機能および／または実施形態のうちの一部または全部を実装するよう構成されてもよい。各処理ユニット１２００は、１または複数のオペレーションを行うよう構成される任意の適した処理デバイスまたはコンピューティングデバイスを有する。各処理ユニット１２００は、例えば、マイクロプロセッサ、マイクロコントローラ、デジタル信号プロセッサ、フィールドプログラマブルゲートアレイ、または特定用途向け集積回路を含み得る。 
【０１３７】
ＥＤ１１１０はまた、少なくとも１つの送受信部１２０２を備える。送受信部１２０２は、少なくとも１つのアンテナまたはＮＩＣ（ネットワークインタフェースコントローラ）１２０４が送信するべく、データまたは他のコンテンツを変調するよう構成される。送受信部１２０２はまた、少なくとも１つのアンテナ１２０４が受信したデータまたは他のコンテンツを復調するよう構成される。各送受信部１２０２は、無線送信用の信号を生成するための、および／または、無線または有線で受信した信号を処理するための任意の適した構造を含む。各アンテナ１２０４は、無線信号を送信および／または受信するための任意の適した構造を含む。ＥＤ１１１０では１または複数の送受信部１２０２が使用されてよく、ＥＤ１１１０では１または複数のアンテナ１２０４が使用され得る。単一の機能ユニットとして示されているが、送受信部１２０２はまた、少なくとも１つの送信部と、別個の少なくとも１つの受信部とを使用して実装され得る。
【０１３８】
ＥＤ１１１０は、１または複数の入出力デバイス１２０６またはインタフェースをさらに備える。入出力デバイス１２０６は、ネットワークにおけるユーザデバイスまたは他のデバイスとのインタラクション（ネットワーク通信）を容易にする。各入出力デバイス１２０６は、スピーカ、マイク、キーパッド、キーボード、ディスプレイ、または、タッチスクリーンなどの、ネットワークインタフェース通信を含む、ユーザに情報を提供するための、または、ユーザからの情報を受信／提供するための任意の適した構造を含む。
【０１３９】
加えて、ＥＤ１１１０は、少なくとも１つのメモリ１２０８を備える。メモリ１２０８は、ＥＤ１１１０によって使用され、生成され、または収集される命令およびデータを記憶する。例えば、メモリ１２０８は、上述の機能および／または実施形態のうちの一部または全部を実装するよう構成される、１または複数の処理ユニット１２００によって実行されるソフトウェアの命令またはモジュールを記憶し得る。各メモリ１２０８は、１または複数の任意の適した揮発性の記憶・読み出しデバイスおよび／または不揮発性の記憶・読み出しデバイスを含む。ランダムアクセスメモリ（ＲＡＭ）、リードオンリメモリ（ＲＯＭ）、ハードディスク、光ディスク、加入者識別モジュール（ＳＩＭ）カード、メモリスティック、およびセキュアデジタル（ＳＤ）メモリカード等といった任意の適したタイプのメモリを使用してよい。
【０１４０】
図２１に示すように、基地局１１７０は、少なくとも１つの処理ユニット１２５０、少なくとも１つの送信部１２５２、少なくとも１つの受信部１２５４、１または複数のアンテナ１２５６、少なくとも１つのメモリ１２５８、および、１または複数の入出力デバイスまたはインタフェース１２６６を含む。送信部１２５２および受信部１２５４の代わりに、図示されていないが、送受信部を使用してよい。処理ユニット１２５０にはスケジューラ１２５３が接続されてよい。スケジューラ１２５３は、基地局１１７０内に含まれるか、または、基地局１１７０とは別々に動作させられてよい。処理ユニット１２５０は、信号符号化、データ処理、電力制御、入出力処理、または任意の他の機能などの基地局１１７０の様々な処理オペレーションを実装する。処理ユニット１２５０はまた、上記においてより詳細に説明された機能および／または実施形態の一部または全部を実装するよう構成され得る。各処理ユニット１２５０は、１または複数のオペレーションを行うよう構成される任意の適した処理デバイスまたはコンピューティングデバイスを含む。各処理ユニット１２５０は、例えば、マイクロプロセッサ、マイクロコントローラ、デジタル信号プロセッサ、フィールドプログラマブルゲートアレイ、または特定用途向け集積回路を含み得る。
【０１４１】
各送信部１２５２は、１または複数のＥＤまたは他のデバイスへの無線送信用の信号を生成するための任意の適した構造を含む。各受信部１２５４は、１または複数のＥＤまたは他のデバイスから無線でまたは有線で受信した信号を処理するための任意の適した構造を含む。少なくとも１つの送信部１２５２および少なくとも１つの受信部１２５４は別個のコンポーネントとして示されているが、組み合わせて送受信部としてよい。各アンテナ１２５６は、無線信号を送信および／または受信するための任意の適した構造を含む。ここでは共通のアンテナ１２５６が送信部１２５２および受信部１２５４の両方に接続されるものとして示されているが、１または複数のアンテナ１２５６が１または複数の送信部１２５２に接続されてよく、１または複数の別個のアンテナ１２５６が１または複数の受信部１２５４に接続されてよい。各メモリ１２５８は、ＥＤ１１１０に関連して上述されたものなどの１または複数の任意の適した揮発性の記憶・読み出しデバイスおよび／または不揮発性の記憶・読み出しデバイスを含む。メモリ１２５８は、基地局１１７０によって使用され、生成され、または収集される命令およびデータを記憶する。例えば、メモリ１２５８は、上述の機能および／または実施形態のうちの一部または全部を実装するよう構成される、１または複数の処理ユニット１２５０によって実行されるソフトウェアの命令またはモジュールを記憶し得る。 
【０１４２】
各入出力デバイス１２６６は、ネットワークにおけるユーザデバイスまたは他のデバイスとのインタラクション（ネットワーク通信）を容易にする。各入出力デバイス１２６６は、ネットワークインタフェース通信を含む、ユーザに情報を提供するための、またはユーザからの情報を受信／提供するための任意の適した構造を含む。
【０１４３】
本明細書において提供される実施形態に係る方法の１または複数の段階が、対応するユニットまたはモジュール、例えば、図２、図２０、および／または図２１に示すユニットまたはモジュール、によって行われてよいことを理解されたい。例えば、信号が、送信ユニットまたは送信モジュールによって送信されてよい。信号は、受信ユニットまたは受信モジュールによって受信されてよい。信号は、処理ユニットまたは処理モジュールによって処理されてよい。他の段階が、本明細書に記載の送信部１７４、受信部１７６、メッセージ処理部１７８、制御情報処理部１７９、送信部１６４、受信部１６６、リソース割り当て部１６８、メッセージ処理部１７０、制御情報生成部１６９、送受信部１２０２、処理ユニット１２００、送信部１２５２、受信部１２５４、スケジューラ１２５３、および／または処理ユニット１２５０によって行われてよい。それぞれのユニット／モジュールは、ハードウェア、ソフトウェア、またはそれらの組み合わせであってよい。例えば、そのようなユニット／モジュールのうちの１または複数は、ＦＰＧＡまたはＡＳＩＣなどの集積回路であってよい。そのようなモジュールがソフトウェアである場合、当該モジュールが、必要に応じて単一のインスタンスまたは複数のインスタンスにおいて、処理のために個々にまたは一緒に、必要に応じて全体的にまたは部分的に、プロセッサによって取り出されてよいこと、および、当該モジュール自体がさらなるデプロイおよびインスタンス化のための命令を含んでよいことを理解されよう。
【０１４４】
［さらなる例］
上記を鑑み、および上記に加えて、次の例を開示する。
【０１４５】
例１．Ｎ個のＯＦＤＭシンボルを有する時間間隔中に第１タイプのデータを送信する段階と、当該時間間隔内において第２タイプのデータを送信する段階であって、当該第２タイプのデータは、ｋ＜Ｎであるｋ個のＯＦＤＭシンボルを含む継続時間を有する、段階とを備え、当該送信は、当該時間間隔内の、ｍ＞Ｎ／ｋであるｍ個の可能なＯＦＤＭシンボル位置のうちの１つから始まる、方法。
【０１４６】
例２．第１タイプのデータは耐遅延データであり、第２タイプのデータは低遅延データである、例１に係る方法。
【０１４７】
例３．第２タイプのデータを送信する段階は、ｋ個のＯＦＤＭシンボルの第１のスロットを送信する段階を有し、当該方法は、ｋ個のＯＦＤＭシンボルの第２のスロットを送信する段階であって、第２のスロットもまた、当該時間間隔内の、ｍ＞Ｎ／ｋであるｍ個の可能なＯＦＤＭシンボル位置のうちの１つから始まる、段階をさらに備える、例１に係る方法。
【０１４８】
例４．第１のスロットおよび第２のスロットは、重複する時間／周波数リソースを使用しない、例３に係る方法。
【０１４９】
例５．第１のスロットおよび第２のスロットは、少なくともいくつかの重複する時間／周波数リソースを使用する、例３に係る方法。
【０１５０】
例６．ｍ≦Ｎ−ｋ＋１である、例１に係る方法。
【０１５１】
例７．ｍ＝Ｎ−ｋ＋１であり、第２タイプのデータの送信は、当該時間間隔内の最初のＮ−ｋ＋１個のＯＦＤＭシンボルの位置のうちの１つから始まる、例６に係る方法。
【０１５２】
例８．Ｎ個のＯＦＤＭシンボルを有する当該時間間隔は、ＴＤＤの自己完結型間隔のダウンリンク部分であり、第１タイプのデータおよび第２タイプのデータはダウンリンクデータである、例１に係る方法。
【０１５３】
例９．Ｎ個のＯＦＤＭシンボルを有する当該時間間隔は、ＴＤＤの自己完結型間隔のアップリンク部分であり、第１タイプのデータおよび第２タイプのデータはアップリンクデータである、例１に係る方法。
【０１５４】
例１０．Ｎ個のＯＦＤＭシンボルを有する当該時間間隔は、ＴＤＤの自己完結型間隔のダウンリンク部分であり、第２タイプのデータは、ダウンリンクＯＦＤＭシンボルおよびアップリンクＯＦＤＭシンボルを含み、ダウンリンクＯＦＤＭシンボルとアップリンクＯＦＤＭシンボルとの間にガード期間が介在する、例１に係る方法。
【０１５５】
例１１．第２タイプのデータの送信は、第１タイプの特定のデータを送信する際に使用するようスケジューリングされた時間／周波数リソースを使用して行われ、当該方法は、第１タイプの特定のデータの送信を遅延させる段階をさらに備える、例１に係る方法。
【０１５６】
例１２．例１から例１１のいずれか１つに係る方法を行うよう構成される基地局。
【０１５７】
例１３．例１から例１１のいずれか１つに係る方法を行うよう構成されるシステム。
【０１５８】
例１４．当該システムは複数のＵＥを備える、例１３に係るシステム。 
【０１５９】
例１５．基地局によって行われる方法であって、第１のＵＥに送信されるべき複数のデータパケットを第１のリソース上にスケジューリングする段階と、第１のリソースの一部において当該データパケットのうちの１つを送信するのではなく、当該第１のリソースの当該部分において他のデータを送信する段階と、当該データパケットのうちの１つが当該第１のリソースの当該部分において送信されなかったことを第１のＵＥに信号で伝える段階とを備える方法。
【０１６０】
例１６．当該複数のデータパケット内のデータは、耐遅延データであり、当該他のデータは、低遅延データである、例１５に係る方法。
【０１６１】
例１７．複数のデータパケットの各々より大きいデータパケットを第２のリソース上にスケジューリングする段階をさらに備える、例１５に係る方法。
【０１６２】
例１８．第２のリソースのサブキャリア間隔は、第１のリソースのサブキャリア間隔とは異なる、例１７に係る方法。
【０１６３】
例１９．例１５から例１８のいずれか１つに係る方法を行うよう構成される基地局。
【０１６４】
例２０．ＵＥによって行われる方法であって、複数の開始位置を示す設定シグナリングを受信する段階であって、各開始位置は、隣り合う開始位置からｘ個のＯＦＤＭシンボル分離れて生じる、段階と、当該複数の開始位置の少なくともいくつかの１つ１つについて、当該１つ１つの開始位置において制御情報がないかモニタリングする段階であって、制御情報は、当該１つ１つの開始位置から始まる特定の時間間隔中に、ＵＥへのダウンリンクデータ送信がスケジューリングされていることを示す、段階と、当該複数の開始位置のうちの少なくともいくつかのうちの１つについて、当該特定の時間間隔中に制御情報およびダウンリンクデータ送信を受信する段階と、を備える方法。
【０１６５】
例２１．当該各開始位置は、それぞれのＯＦＤＭシンボルである、例２０に係る方法。
【０１６６】
例２２．ｘ＝１である、例２０または例２１に係る方法。
【０１６７】
例２３．当該特定の時間間隔は、１または複数のＯＦＤＭシンボルを含み、制御情報は、１または複数のＯＦＤＭシンボルのうちの第１番目のＯＦＤＭシンボル内にある、例２０から例２２いずれか１つに係る方法。
【０１６８】
例２４．ダウンリンクデータ送信が開始を許可されたときのＯＦＤＭシンボル中においてのみ、制御情報がないかモニタリングする段階を備える、例２０から２３のいずれか１つに係る方法。
【０１６９】
例２５．当該各開始位置から始まる当該時間間隔は、同じｋ個のＯＦＤＭシンボルの継続時間を有する、例２０から例２４のいずれか１つに係る方法。
【０１７０】
例２６．当該継続時間の通知を受信する段階をさらに備える、例２５に係る方法。
【０１７１】
例２７．ＵＥは、ガード期間の前のｋ個未満のＯＦＤＭシンボルのいずれにおいても、制御情報がないかモニタリングしない、例２５または２６に係る方法。
【０１７２】
例２８．当該複数の開始位置はそれぞれ、別のＵＥが当該別のＵＥ向けの制御情報がないかモニタリングする別の時間間隔の開始位置とは異なる、例２０から例２７いずれか１つに係る方法。
【０１７３】
例２９．ダウンリンクデータ送信は、低遅延データ送信である、例２０から例２８のいずれか１つに係る方法。
【０１７４】
例３０．第１番目のＯＦＤＭシンボルは、制御情報と、ダウンリンクデータ送信の一部との両方を含む、例２３に係る方法。
【０１７５】
例３１．制御情報は、ＵＥへのダウンリンクデータ送信が、当該１つ１つの開始位置から始まるようスケジューリングされていることを示す、例２０から例３０いずれか１つに係る方法。
【０１７６】
例３２．第１番目のＯＦＤＭシンボルは、制御情報を含み、ダウンリンクデータ送信については一切含まない、例２３に係る方法。
【０１７７】
例３３．当該特定の時間間隔は、別のＵＥが当該別のＵＥ向けのダウンリンク送信を受信してよい別の時間間隔の対応する継続時間とは異なる継続時間を有する、例２０から例３２いずれか１つに係る方法。
【０１７８】
例３４．当該複数の開始位置は、第１の複数の開始位置であり、当該方法は、更新された設定シグナリングを受信する段階であって、更新された当該設定シグナリングは、第２の複数の開始位置を示す、段階をさらに備え、第２の複数の開始位置の各開始位置は、第２の複数の開始位置のうちの隣り合う開始位置からｎ個のＯＦＤＭシンボル分離れて生じ、ｎはｘとは異なる、例２０から例３３のいずれか１つに係る方法。
【０１７９】
例３５．複数の開始位置を示す設定シグナリングを受信する受信部であって、各開始位置は、隣り合う開始位置とはｘ個のＯＦＤＭシンボル分離れて生じる、受信部と、複数の開始位置の少なくともいくつかの１つ１つについて、当該１つ１つの開始位置において制御情報がないかモニタリングする制御情報処理部であって、制御情報は、当該１つ１つの開始位置から始まる特定の時間間隔中にＵＥへのダウンリンクデータ送信がスケジューリングされていることを示す、制御情報処理部とを備え、当該受信部は、複数の開始位置の少なくともいくつかのうちの１つについて、特定の時間間隔中に制御情報およびダウンリンクデータ送信を受信する、ＵＥ。
【０１８０】
例３６．各開始位置は、それぞれのＯＦＤＭシンボルである、例３５に係るＵＥ。
【０１８１】
例３７．ｘ＝１である、例３５または例３６に係るＵＥ。
【０１８２】
例３８．当該特定の時間間隔は、１または複数のＯＦＤＭシンボルを含み、制御情報は、１または複数のＯＦＤＭシンボルのうちの第１番目のＯＦＤＭシンボル内にある、例３５から例３７のいずれか１つに係るＵＥ。
【０１８３】
例３９．制御情報処理部は、ダウンリンクデータ送信が開始を許可されたときのＯＦＤＭシンボル中においてのみ、制御情報がないかモニタリングする、例３５から例３８のいずれか１つに係るＵＥ。
【０１８４】
例４０．各開始位置から始まる時間間隔は、同じｋ個のＯＦＤＭシンボルの継続時間を有する、例３５から例３９のいずれか１つに係るＵＥ。
【０１８５】
例４１．受信部はさらに、当該継続時間の通知を受信する、例４０に係るＵＥ。
【０１８６】
例４２．制御情報処理部は、ガード期間の前のｋ個未満のＯＦＤＭシンボルのいずれにおいても、制御情報がないかモニタリングしない、例４０または４１に係るＵＥ。
【０１８７】
例４３．当該複数の開始位置はそれぞれ、別のＵＥが当該別のＵＥ向けの制御情報がないかモニタリングする別の時間間隔の開始位置とは異なる、例３５から例４２のいずれか１つに係るＵＥ。
【０１８８】
例４４．ダウンリンクデータ送信は、低遅延データ送信である、例３５から例４３のいずれか１つに係るＵＥ。
【０１８９】
例４５．第１番目のＯＦＤＭシンボルは、制御情報と、ダウンリンクデータ送信の一部との両方を含む、例３８に係るＵＥ。
【０１９０】
例４６．制御情報は、ＵＥへのダウンリンクデータ送信が、当該１つ１つの開始位置から始まるようスケジューリングされていることを示す、例３５から例４５のいずれか１つに係るＵＥ。
【０１９１】
例４７．第１番目のＯＦＤＭシンボルは、制御情報を含み、ダウンリンクデータ送信については一切含まない、例３８に係るＵＥ。
【０１９２】
例４８．当該特定の時間間隔は、別のＵＥが当該別のＵＥ向けのダウンリンク送信を受信する別の時間間隔の対応する継続時間とは異なる継続時間を有する、例３５から例４７のいずれか１つに係るＵＥ。
【０１９３】
例４９．当該複数の開始位置は、第１の複数の開始位置であり、受信部は、更新された設定シグナリングを受信し、更新された当該設定シグナリングは、第２の複数の開始位置を示し、第２の複数の開始位置の各開始位置は、第２の複数の開始位置のうちの隣り合う開始位置からｎ個のＯＦＤＭシンボル分離れて生じ、ｎはｘとは異なる、例３５から例４８のいずれか１つに係るＵＥ。
【０１９４】
例５０．基地局によって行われる方法であって、複数の開始位置を示す設定シグナリングをＵＥに送信する段階であって、当該複数の開始位置の各々においてＵＥは制御情報がないかモニタリングし、各開始位置は、隣り合う開始位置からｘ個のＯＦＤＭシンボル分離れて生じる、段階と、当該複数の開始位置のうちの特定の開始位置において制御情報を送信する段階であって、制御情報は、当該特定の開始位置から始まる時間間隔中にＵＥへのダウンリンクデータ送信がスケジューリングされていることを示す、段階と、当該時間間隔中にダウンリンクデータ送信を送信する段階とを備える方法。
【０１９５】
例５１．各開始位置は、それぞれのＯＦＤＭシンボルである、例５０に係る方法。
【０１９６】
例５２．ｘ＝１である、例５０または例５１に係る方法。
【０１９７】
例５３．当該時間間隔は、隣接する複数のＯＦＤＭシンボルを含む、例５０から例５２のいずれか１つに係る方法。
【０１９８】
例５４．当該時間間隔は、１または複数のＯＦＤＭシンボルを含み、当該特定の開始位置は、１または複数のＯＦＤＭシンボルのうちの第１番目のＯＦＤＭシンボルである、例５０から例５２のいずれか１つに係る方法。
【０１９９】
例５５．制御情報は、第１番目のＯＦＤＭシンボル内にある、例５４に係る方法。
【０２００】
例５６．当該時間間隔は、ｋ個のＯＦＤＭシンボルの継続時間を有する、例５０から例５５のいずれか１つに係る方法。
【０２０１】
例５７．ダウンリンクデータ送信は、低遅延データ送信である、例５０から例５６のいずれか１つに係る方法。
【０２０２】
例５８．ＵＥは、第１のＵＥであり、設定シグナリングは、第１の設定シグナリングであり、複数の開始位置は、第１の複数の開始位置であり、当該方法は、第２の複数の開始位置を示す第２の設定シグナリングを第２のＵＥに送信する段階であって、第２の複数の開始位置の各々において、第２のＵＥは制御情報がないかモニタリングし、第２の複数の開始位置の各開始位置は、第２の複数の開始位置のうちの隣り合う開始位置からｚ個のＯＦＤＭシンボル分離れて生じる、段階をさらに備える、例５０から例５７のいずれか１つに係る方法。
【０２０３】
例５９．ｘ＝ｚである、例５８に係る方法。
【０２０４】
例６０．第１番目のＯＦＤＭシンボルは、制御情報と、ダウンリンクデータ送信の一部との両方を含む、例５５に係る方法。
【０２０５】
例６１．第１番目のＯＦＤＭシンボルは、制御情報を含み、ダウンリンクデータ送信については一切含まない、例５５に係る方法。
【０２０６】
例６２．当該時間間隔は、別のダウンリンク送信が別のＵＥに送信される別の時間間隔の継続時間とは異なる継続時間を有する、例５０から例６１のいずれか１つに係る方法。
【０２０７】
例６３．当該複数の開始位置は、第１の複数の開始位置であり、当該方法は、更新された設定シグナリングを送信する段階であって、更新された当該設定シグナリングは、第２の複数の開始位置を示し、第２の複数の開始位置の各開始位置は、第２の複数の開始位置のうちの隣り合う開始位置からｎ個のＯＦＤＭシンボル分離れて生じる、段階をさらに備え、ｎはｘとは異なる、例５０から例６２のいずれか１つに係る方法。
【０２０８】
例６４．制御情報がないかモニタリングすることを停止するための命令をＵＥに送信する段階をさらに備える、例５０から例６３のいずれか１つに係る方法。
【０２０９】
例６５．複数の開始位置示す設定シグナリングを生成する制御情報生成部であって、複数の開始位置の各々において、ＵＥは制御情報がないかモニタリングし、各開始位置は、隣り合う開始位置からｘ個のＯＦＤＭシンボル分離れて生じる、制御情報生成部と、ＵＥに、設定シグナリングと、複数の開始位置のうちの特定の開始位置において、当該特定の開始位置から始まる時間間隔中にＵＥへのダウンリンクデータ送信がスケジューリングされていることを示す制御情報と、当該時間間隔中にダウンリンクデータ送信と、を送信する送信部とを備える基地局。
【０２１０】
例６６．各開始位置は、それぞれのＯＦＤＭシンボルである、例６５に係る基地局。
【０２１１】
例６７．ｘ＝１である、例６５または６６に係る基地局。
【０２１２】
例６８．当該時間間隔は、隣接する複数のＯＦＤＭシンボルを含む、例６５から例６７のいずれか１つに係る基地局。
【０２１３】
例６９．当該時間間隔は、１または複数のＯＦＤＭシンボルを含み、当該特定の開始位置は、１または複数のＯＦＤＭシンボルのうちの第１番目のＯＦＤＭシンボルである、例６５から例６８のいずれか１つに係る基地局。
【０２１４】
例７０．制御情報は、第１番目のＯＦＤＭシンボル内にある、例６９に係る基地局。
【０２１５】
例７１．当該時間間隔は、ｋ個のＯＦＤＭシンボルの継続時間を有する、例６５から例７０のいずれか１つに係る基地局。
【０２１６】
例７２．ダウンリンクデータ送信は、低遅延データ送信である、例６５から例７１のいずれか１つに係る基地局。
【０２１７】
例７３．ＵＥは、第１のＵＥであり、設定シグナリングは、第１の設定シグナリングであり、複数の開始位置は、第１の複数の開始位置であり、送信部はさらに、第２の複数の開始位置を示す第２の設定シグナリングを第２のＵＥに送信し、第２の複数の開始位置の各々において、第２のＵＥは制御情報がないかモニタリングし、第２の複数の開始位置の各開始位置は、第２の複数の開始位置のうちの隣り合う開始位置からｚ個のＯＦＤＭシンボル分離れて生じる、例６５から例７２のいずれか１つに係る基地局。
【０２１８】
例７４．ｘ＝ｚである、例７３に係る基地局。
【０２１９】
例７５．第１番目のＯＦＤＭシンボルは、制御情報と、ダウンリンクデータ送信の一部との両方を有する、例７０に係る基地局。
【０２２０】
例７６．第１番目のＯＦＤＭシンボルは、制御情報を含み、ダウンリンクデータ送信については一切含まない、例７０に係る基地局。
【０２２１】
例７７．当該時間間隔は、別のダウンリンク送信が別のＵＥに送信される別の時間間隔の継続時間とは異なる継続時間を有する、例６５から例７６のいずれか１つに係る基地局。
【０２２２】
例７８．当該複数の開始位置は、第１の複数の開始位置であり、送信部はさらに、更新された設定シグナリングを送信し、更新された当該設定シグナリングは、第２の複数の開始位置を示し、第２の複数の開始位置の各開始位置は、第２の複数の開始位置のうちの隣り合う開始位置から、ｎ個のＯＦＤＭシンボル分離れて生じ、ｎはｘとは異なる、例６５から例７７のいずれか１つに係る基地局。
【０２２３】
例７９．送信部はさらに、制御情報がないかをモニタリングすることを停止するための命令をＵＥに送信する、例６５から例７８のいずれか１つに係る基地局。
【０２２４】
例８０．メモリおよび少なくとも１つのプロセッサを備える基地局であって、メモリに命令が記憶され、当該命令は、少なくとも１つのプロセッサによって実行された場合、上記の例に係る基地局の方法のいずれか１つを基地局に行わせる、基地局。
【０２２５】
例８１．メモリおよび少なくとも１つのプロセッサを備えるＵＥであって、メモリに命令が記憶され、当該命令は、少なくとも１つのプロセッサによって実行された場合、上記の例に係るＵＥの方法のいずれか１つをＵＥに行わせる、ＵＥ。
【０２２６】
［結論］
本発明について、その具体的な特徴および実施形態に関して説明してきたが、本発明から逸脱することなく、それらの特徴および実施形態を様々に修正し、組み合わせることができる。したがって、本明細書の説明および図面は、単に、添付の特許請求の範囲によって規定される本発明のいくつかの実施形態の例示とみなされるべきであり、本発明の範囲内に含まれるありとあらゆる修正、変形、組み合わせ、または均等例を包含すると考えられる。ゆえに、本発明およびその利点を詳細に説明してきたが、添付の特許請求の範囲によって規定される本発明から逸脱することなく、ここに様々な変更、置換、および改変を施し得る。さらに、本出願の範囲は、本明細書に記載のプロセス、機械、製造物、組成物、手段、方法、および段階の特定の実施形態に限定されるようには意図されない。当業者ならば本発明の本開示から容易に理解するであろうように、現在既存の、または後に開発されることになる、本明細書に記載の対応する実施形態と実質的に同じ機能を行い、または実質的に同じ結果を達成するプロセス、機械、製造物、組成物、手段、方法、または段階が、本発明にしたがって利用されてよい。したがって、添付の特許請求の範囲は、その範囲内に、そのようなプロセス、機械、製造物、組成物、手段、方法、または段階を含むように意図される。
【０２２７】
さらに、本明細書において例示された、命令を実行するモジュール、コンポーネント、またはデバイスはいずれも、コンピュータ／プロセッサ可読命令、データ構造、プログラムモジュール、および／または他のデータなどの情報を記憶するための１または複数の非一時的コンピュータ／プロセッサ可読記憶装置を含んでよいか、そうでなければそれらにアクセスできてよい。非一時的コンピュータ／プロセッサ可読記憶媒体の例を非網羅的に列挙すると、磁気カセット、磁気テープ、磁気ディスク記憶装置もしくは他の磁気記憶デバイス、コンパクトディスクリードオンリメモリ（ＣＤ−ＲＯＭ）、デジタルビデオディスクもしくはデジタルバーサタイルディスク（ＤＶＤ）、ブルーレイディスク（登録商標）もしくは他の光記憶装置などの光ディスク、任意の方法もしくは技術で実装された揮発性および不揮発性の取り外し可能および取り外し不可能な媒体、ランダムアクセスメモリ（ＲＡＭ）、リードオンリメモリ（ＲＯＭ）、電気的消去可能プログラマブルリードオンリメモリ（ＥＥＰＲＯＭ）、フラッシュメモリ、または他のメモリ技術が挙げられる。そのような非一時的コンピュータ／プロセッサ記憶媒体はいずれも、デバイスの一部であるか、またはデバイスがアクセス可能もしくはデバイスに接続可能であってよい。本明細書に記載のアプリケーションまたはモジュールはいずれも、そのような非一時的コンピュータ／プロセッサ可読記憶媒体によって記憶されるか、または保持されてよいコンピュータ／プロセッサ可読／実行可能命令を使用して実装されてよい。
【図１】
2019537292.tif 000003
【図２】
2019537292.tif 000004
【図３】
2019537292.tif 000005
【図４】
2019537292.tif 000006
【図５】
2019537292.tif 000007
【図６】
2019537292.tif 000008
【図７】
2019537292.tif 000009
【図８】
2019537292.tif 000010
【図９】
2019537292.tif 000011
【図１０】
2019537292.tif 000012
【図１１】
2019537292.tif 000013
【図１２】
2019537292.tif 000014
【図１３】
2019537292.tif 000015
【図１４】
2019537292.tif 000016
【図１５】
2019537292.tif 000017
【図１６】
2019537292.tif 000018
【図１７】
2019537292.tif 000019
【図１８】
2019537292.tif 000020
【図１９】
2019537292.tif 000021
【図２０】
2019537292.tif 000022
【図２１】
2019537292.tif 000023
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって行われる方法であって、
第１の開始位置および第２の開始位置を示す設定シグナリングを受信する段階であって、前記第２の開始位置は、前記第１の開始位置からｘ個の直交周波数分割多重化（ＯＦＤＭ）シンボル分離れて生じる、段階と、
前記第１の開始位置および前記第２の開始位置の１つ１つについて、前記１つ１つの開始位置において制御情報がないかモニタリングする段階であって、前記制御情報は、特定の時間間隔中に前記ＵＥへのダウンリンクデータ送信がスケジューリングされているか否かを示す、段階と、
前記第１の開始位置および前記第２の開始位置のうちの１つについて、前記特定の時間間隔中に前記制御情報および前記ダウンリンクデータ送信を受信する段階と
を備える
方法。
【請求項２】
前記第１の開始位置および前記第２の開始位置の各々は、それぞれのＯＦＤＭシンボルである、
請求項１に記載の方法。
【請求項３】
ｘ＝１である、
請求項１または２に記載の方法。
【請求項４】
前記特定の時間間隔は、１または複数のＯＦＤＭシンボルを含み、前記制御情報は、前記１または複数のＯＦＤＭシンボルのうちの第１番目のＯＦＤＭシンボル内にある、
請求項１から３のいずれか一項に記載の方法。
【請求項５】
前記ダウンリンクデータ送信が開始を許可されたときのＯＦＤＭシンボル中においてのみ、前記制御情報がないかモニタリングする段階を備える、
請求項１から４のいずれか一項に記載の方法。
【請求項６】
前記第１の開始位置および前記第２の開始位置の各々から始まる前記特定の時間間隔は、同じｋ個のＯＦＤＭシンボルの継続時間を有する、
請求項１から５のいずれか一項に記載の方法。
【請求項７】
前記継続時間の通知を受信する段階をさらに備える、
請求項６に記載の方法。
【請求項８】
前記ＵＥは、ガード期間の前のｋ個未満のＯＦＤＭシンボルのいずれにおいても、前記制御情報がないかモニタリングしない、
請求項６に記載の方法。
【請求項９】
前記第１の開始位置および前記第２の開始位置はそれぞれ、別のＵＥが前記別のＵＥ向けの制御情報がないかモニタリングする開始位置とは異なる、
請求項１から８のいずれか一項に記載の方法。
【請求項１０】
前記ダウンリンクデータ送信は、低遅延データ送信である、
請求項１から９のいずれか一項に記載の方法。
【請求項１１】
前記第１番目のＯＦＤＭシンボルは、前記制御情報と、前記ダウンリンクデータ送信の一部との両方を含む、
請求項４に記載の方法。
【請求項１２】
前記制御情報は、前記ＵＥへのダウンリンクデータ送信が、前記１つ１つの開始位置から始まるようスケジューリングされていることを示す、
請求項１から１１のいずれか一項に記載の方法。
【請求項１３】
前記第１番目のＯＦＤＭシンボルは、前記制御情報を含み、前記ダウンリンクデータ送信については一切含まない、
請求項４に記載の方法。
【請求項１４】
前記特定の時間間隔は、別のＵＥが前記別のＵＥ向けのダウンリンク送信を受信する別の時間間隔の対応する継続時間とは異なる継続時間を有する、
請求項１から１３のいずれか一項に記載の方法。
【請求項１５】
前記第１の開始位置および前記第２の開始位置は、第１の第１の開始位置および第２の開始位置であり、前記方法は、更新された設定シグナリングを受信する段階をさらに備え、前記更新された設定シグナリングは、第２の第１の開始位置および第２の開始位置を示し、前記第２の第２の開始位置は、前記第２の第１の開始位置からｎ個のＯＦＤＭシンボル分離れて生じ、ｎはｚとは異なる、
請求項１から１４のいずれか一項に記載の方法。
【請求項１６】
ユーザ機器（ＵＥ）であって、
第１の開始位置および第２の開始位置を示す設定シグナリングを受信する受信部であって、前記第２の開始位置は、前記第１の開始位置からｘ個の直交周波数分割多重化（ＯＦＤＭ）シンボル分離れて生じる、受信部と、
前記第１の開始位置および前記第２の開始位置のうちの１つ１つについて、前記１つ１つの開始位置において制御情報がないかモニタリングする制御情報処理部であって、前記制御情報は、特定の時間間隔中に前記ＵＥへのダウンリンクデータ送信がスケジューリングされているか否かを示す、制御情報処理部と
を備え、
前記受信部は、前記第１の開始位置および前記第２の開始位置のうちの１つについて、前記特定の時間間隔中に前記制御情報および前記ダウンリンクデータ送信を受信する、
ＵＥ。
【請求項１７】
前記第１の開始位置および前記第２の開始位置の各々は、それぞれのＯＦＤＭシンボルである、
請求項１６に記載のＵＥ。
【請求項１８】
ｘ＝１である、
請求項１６または１７に記載のＵＥ。
【請求項１９】
前記特定の時間間隔は、１または複数のＯＦＤＭシンボルを含み、前記制御情報は、前記１または複数のＯＦＤＭシンボルのうちの第１番目のＯＦＤＭシンボル内にある、
請求項１６から１８のいずれか一項に記載のＵＥ。
【請求項２０】
前記制御情報処理部は、前記ダウンリンクデータ送信が開始を許可されたときのＯＦＤＭシンボル中においてのみ、前記制御情報がないかモニタリングする、
請求項１６から１９のいずれか一項に記載のＵＥ。
【請求項２１】
前記第１の開始位置および前記第２の開始位置の各々から始まる前記特定の時間間隔は、同じｋ個のＯＦＤＭシンボルの継続時間を有する、
請求項１６から２０のいずれか一項に記載のＵＥ。
【請求項２２】
前記受信部はさらに、前記継続時間の通知を受信する、
請求項２１に記載のＵＥ。
【請求項２３】
前記制御情報処理部は、ガード期間の前のｋ個未満のＯＦＤＭシンボルのいずれにおいても、前記制御情報がないかモニタリングしない、
請求項２１に記載のＵＥ。
【請求項２４】
前記第１の開始位置および前記第２の開始位置はそれぞれ、別のＵＥが前記別のＵＥ向けの制御情報がないかモニタリングする開始位置とは異なる、
請求項１６から２３のいずれか一項に記載のＵＥ。
【請求項２５】
前記ダウンリンクデータ送信は、低遅延データ送信である、
請求項１６から２４のいずれか一項に記載のＵＥ。
【請求項２６】
前記第１番目のＯＦＤＭシンボルは、前記制御情報と、前記ダウンリンクデータ送信の一部との両方を含む、
請求項１９に記載のＵＥ。
【請求項２７】
前記制御情報は、前記ＵＥへのダウンリンクデータ送信が前記１つ１つの開始位置から始まるようスケジューリングされていることを示す、
請求項１６から２６のいずれか一項に記載のＵＥ。
【請求項２８】
前記第１番目のＯＦＤＭシンボルは、前記制御情報を含み、前記ダウンリンクデータ送信については一切含まない、
請求項１９に記載のＵＥ。
【請求項２９】
前記特定の時間間隔は、別のＵＥが前記別のＵＥ向けのダウンリンク送信を受信する別の時間間隔の対応する継続時間とは異なる継続時間を有する、
請求項１６から２８のいずれか一項に記載のＵＥ。
【請求項３０】
前記第１の開始位置および前記第２の開始位置は、第１の第１の開始位置および第２の開始位置であり、前記受信部は、更新された設定シグナリングを受信し、前記更新された設定シグナリングは、第２の第１の開始位置および第２の開始位置を示し、前記第２の第２の開始位置は、前記第２の第１の開始位置からｎ個のＯＦＤＭシンボル分離れて生じ、ｎはｘとは異なる、
請求項１６から２９のいずれか一項に記載のＵＥ。
【手続補正２】
【補正対象書類名】明細書
【補正対象項目名】００３５
【補正方法】変更
【補正の内容】
【００３５】
メッセージ処理部１７０、リソース割り当て部１６８、制御情報生成部１６９、ならびに／または、送信部１６４および受信部１６６の任意の信号処理コンポーネントは、メッセージ処理部１７０、リソース割り当て部１６８、制御情報生成部１６９、および／または送信部１６４／受信部１６６の機能を実行するよう構成される回路の形で実装されてよい。いくつかの実装例では、当該回路は、メモリと、メモリに記憶された命令を実行する１または複数のプロセッサとを含む。当該命令は、メッセージ処理部１７０、リソース割り当て部１６８、制御情報生成部１６９、および／または送信部１６４／受信部１６６のオペレーションを１または複数のプロセッサに実行させる。あるいは、メッセージ処理部１７０、リソース割り当て部１６８、制御情報生成部１６９、ならびに／または送信部１６４および受信部１６６の任意の信号処理コンポーネントは、メッセージ処理部１７０、リソース割り当て部１６８、制御情報生成部１６９、および／または送信部１６４／受信部１６６のオペレーションを実行するためのＡＳＩＣ、ＧＰＵ、またはプログラムされたＦＰＧＡなどの専用回路を使用して実装されてよい。さらに他の実装例では、本明細書に記載の基地局１００の機能は、メモリに記憶され、かつ１または複数のプロセッサによって実行されるソフトウェアモジュールにおいて完全にまたは部分的に実装されてよい。
【手続補正３】
【補正対象書類名】明細書
【補正対象項目名】００３８
【補正方法】変更
【補正の内容】
【００３８】
メッセージ処理部１７８、制御情報処理部１７９、ならびに／または送信部１７４および受信部１７６の任意の信号処理コンポーネントは、メッセージ処理部１７８、制御情報処理部１７９、送信部１７４、および／または受信部１７６の機能を実行するよう構成される回路の形で実装されてよい。いくつか実装例では、当該回路は、メモリと、メモリに記憶された命令を実行する１または複数のプロセッサとを含む。当該命令は、メッセージ処理部１７８、制御情報処理部１７９、および／または送信部１７４／受信部１７６のオペレーションを１または複数のプロセッサに実行させる。あるいは、メッセージ処理部１７８、制御情報処理部１７９、ならびに／または送信部１７４および受信部１７６の任意の信号処理コンポーネントは、メッセージ処理部１７８、制御情報処理部１７９、および／または送信部１７４／受信部１７６のオペレーションを実行するためのＡＳＩＣ、ＧＰＵ、またはＦＰＧＡなどの専用回路を使用して実装されてよい。さらに他の実装例では、本明細書に記載のＵＥの機能は、メモリに記憶され、かつ１または複数のプロセッサによって実行されるソフトウェアモジュールにおいて完全にまたは部分的に実装されてよい。
【手続補正４】
【補正対象書類名】明細書
【補正対象項目名】００４７
【補正方法】変更
【補正の内容】
【００４７】
図５は、低遅延スロットが始まり得る位置に高い自由度がある別の実施形態に係る時間／周波数リソース２２２の一部を示す。図５では、２２４に示すように、低遅延ダウンリンクスロットが、最初の８つのダウンリンクＯＦＤＭシンボルのうちのいずれか１つから始まり得る。アクセス遅延の低減または最小化を試みるべく、低遅延スロットの開始位置を、自由度の高いものにすることができる。この例では、ｘは１ＯＦＤＭシンボルである。図５の実施形態では、低遅延スロットの継続時間は３ＯＦＤＭシンボルであり、そのため、低遅延スロットは、最後の２つのダウンリンクＯＦＤＭシンボルの初めからは開始することができない。あるいは、いくつかのＵＥは、上述したような非連続的な送信をサポートするならば、最後の数個のＤＬシンボルにおいて送信を受信し得る。しかしながら、耐遅延間隔がダウンリンクシンボルしか含まない場合、低遅延スロットは任意のシンボルの初めから開始し得ると考えられる。図３の「Ｎ」および「ｋ」の表記を使用すれば、図５の例においてはＮ＝１０、ｋ＝３であり、低遅延スロットの開始は、最初のｍ＝Ｎ−ｋ＋１＝８個のダウンリンクＯＦＤＭシンボルのいずれか１つから始まってよい。
【手続補正５】
【補正対象書類名】明細書
【補正対象項目名】００６８
【補正方法】変更
【補正の内容】
【００６８】
オペレーション中、耐遅延領域３７４には相対的に大きい耐遅延パケットがスケジューリングされる。領域３７４においてデータを受信する耐遅延ＵＥは、低遅延送信によって送信が中断されたか否かを確認するべく制御情報をモニタリングする必要はない。なぜなら、領域３７４は耐遅延データの送信のみに充てられるからである。共存領域３７６には相対的に小さい耐遅延パケットがスケジューリングされ、共存領域３７６においてデータを受信する耐遅延ＵＥは、これらのＵＥのスケジューリングされたパケットのうちのいずれかの送信が低遅延送信によって中断され延期されたか否かを確認するべく制御情報をモニタリングする。これは、耐遅延ＵＥのデータが、両方のトラフィックがスケジューリングされ得る設定された時間−周波数リソース３７６（すなわち、図１の領域１３０）と重複する場合、耐遅延ＵＥは、スケジューリング割り当ての更新またはパンクチャリングの情報を提供する通知がないかモニタリングする必要があることを示唆している。パンクチャリング通知のモニタリングを有効にするようＵＥに設定通知が提供され得る。ＵＥは、設定された共存領域に重複して自身のデータがスケジューリングされた後、モニタリングを行う。１または複数のＵＥにプリエンプションまたはパンクチャリングの情報を提供するパンクチャリング通知ペイロードは、エラーの訂正または検出を容易にするべく、巡回冗長検査（ＣＲＣ）を含み、または添付され得る。ＣＲＣは、ブラインド検出が容易になるよう、対象の受信部または受信部群に固有の識別子（例えば、従来のＰＤＣＣＨ構造において使用されるような無線ネットワーク一時識別子（ＲＮＴＩ））でマスキングまたはスクランブルされ得る。当該通知ペイロードは、Ｐｏｌａｒ符号化、低密度パリティ検査（ＬＤＰＣ）符号化、およびターボ符号化などの種々のチャネル符号化技術で符号化されてよく、２値位相シフトキーイング（ＢＰＳＫ）、直交位相シフトキーイング（ＱＰＳＫ）、多値直交振幅変調（Ｍ−ＱＡＭ）などの種々の変調方式で変調される。ここで、Ｍは、２の任意の整数倍であってよく、または２Ｎであってよい。Ｎは正の整数である。例えば、Ｎは、｛１，２，３，４，５，６，７，８｝のうちの１つであってよい。復調参照信号（ＤＭＲＳ）密度は、Ｊ／Ｋ＜１であってよい。ここで、ＪおよびＫは、正の整数である。例えば、Ｊは１であってよく、Ｋは、｛２，３，４，５，６，７，８｝のうちの１つであってよい。別の例では、Ｊは２であってよく、Ｋは｛３，５，７｝のうちの１つであってよい。ＤＭＲＳ密度の集合がＵＥにおいて設定されてよく、１つが所与の無線パラメータ用に（ＵＥによって）使用され得る。ロバスト性を向上させるべく、リソース要素グループ（ＲＥＧ）間またはＲＥＧの束（束のサイズは、２、３、４、５、または６のサイズであり得る）の間でのインターリーブも使用され得る。キャリア毎にパンクチャリング通知（ＰＩ）が設定され得る。すなわち、ＵＥが複数のキャリア上で送信を受信する場合、ＵＥは、各キャリアにおいてＰＩがないかモニタリングすることが必要であり得る。あるいは、ＰＩを設定して複数のキャリア上のプリエンプションに対処することができ、ＵＥは、ＰＩが設定されている集約されたキャリアのうちの１つのみにおいてＰＩがないかモニタリングする。
【手続補正６】
【補正対象書類名】明細書
【補正対象項目名】０１１７
【補正方法】変更
【補正の内容】
【０１１７】
ＥＤ１１１０ａ〜１１１０ｃは、システム１１００において、動作し、通信し、または、その両方を行うよう構成される。例えば、ＥＤ１１１０ａ〜１１１０ｃは、無線通信チャネルを介して送信し、受信し、またはその両方を行うよう構成される。ＥＤ１１１０ａ〜１１１０ｃの各々は、無線オペレーション用の任意の適したエンドユーザデバイスを表し、ユーザ機器／デバイス（ＵＥ）、無線送受信ユニット（ＷＴＲＵ）、移動局、移動加入者ユニット、携帯電話、端末（ＳＴＡ）、マシンタイプ通信（ＭＴＣ）デバイス、パーソナルデジタルアシスタント（ＰＤＡ）、スマートフォン、ラップトップ、コンピュータ、タッチパッド、無線センサ、または家電機器といったデバイスを含んでよい（または、そのように称されてよい）。図１および図２において先に説明し紹介したＵＥは、ＥＤの例である。より一般的には、図１および図２において先に説明し紹介したＵＥは、ＥＤで置き換えられてよい。
【手続補正７】
【補正対象書類名】明細書
【補正対象項目名】０１２３
【補正方法】変更
【補正の内容】
【０１２３】
ＲＡＮ１１２０ａ〜１１２０ｂは、コアネットワーク１１３０と通信して、音声、データ、および他のサービスなどの様々なサービスをＥＤ１１１０ａ〜１１１０ｃに提供する。分かり易く言うと、ＲＡＮ１１２０ａ〜１１２０ｂおよび／またはコアネットワーク１１３０は、他の１または複数のＲＡＮ（不図示）と直接的または間接的に通信してよい。当該他の１または複数のＲＡＮは、コアネットワーク１１３０によって直接的にサービス提供されていても、されていなくてもよく、ＲＡＮ１１２０ａ、ＲＡＮ１１２０ｂ、またはその両方と同じ無線アクセス技術を用いても、用いなくてもよい。コアネットワーク１１３０はまた、（ｉ）ＲＡＮ１１２０ａ〜ＲＡＮ１１２０ｂ、または、ＥＤ１１１０ａ〜１１１０ｃ、またはその両方と、（ｉｉ）（ＰＳＴＮ１１４０、インターネット１１５０、およびその他のネットワーク１１６０などの）他のネットワークとの間のゲートウェイアクセスとして機能してもよい。加えて、ＥＤ１１１０ａ〜１１１０ｃのうちの一部または全部は、種々の無線技術および／またはプロトコルを使用して、種々の無線リンクを介して、種々の無線ネットワークと通信するための機能を含んでよい。ＰＳＴＮ１１４０は、基本電話サービス（ＰＯＴＳ）を提供するための回線交換電話網を含んでよい。インターネット１１５０は、コンピュータネットワーク、サブネット（イントラネット）、またはその両方を含んでよく、ＩＰ、ＴＣＰ、ＵＤＰなどのプロトコルを取り入れてよい。ＥＤ１１１０ａ〜１１１０ｃは、複数の無線アクセス技術にしたがって動作可能なマルチモードデバイスであってよく、そのようなことをサポートするために必要な複数の送受信部を組み込んでよい。
【手続補正８】
【補正対象書類名】明細書
【補正対象項目名】０２２７
【補正方法】変更
【補正の内容】
【０２２７】
さらに、本明細書において例示された、命令を実行するモジュール、コンポーネント、またはデバイスはいずれも、コンピュータ／プロセッサ可読命令、データ構造、プログラムモジュール、および／または他のデータなどの情報を記憶するための１または複数の非一時的コンピュータ／プロセッサ可読記憶装置を含んでよいか、そうでなければそれらにアクセスできてよい。非一時的コンピュータ／プロセッサ可読記憶媒体の例を非網羅的に列挙すると、磁気カセット、磁気テープ、磁気ディスク記憶装置もしくは他の磁気記憶デバイス、コンパクトディスクリードオンリメモリ（ＣＤ−ＲＯＭ）、デジタルビデオディスクもしくはデジタルバーサタイルディスク（ＤＶＤ）、ブルーレイディスク（登録商標）もしくは他の光記憶装置などの光ディスク、任意の方法もしくは技術で実装された揮発性および不揮発性の取り外し可能および取り外し不可能な媒体、ランダムアクセスメモリ（ＲＡＭ）、リードオンリメモリ（ＲＯＭ）、電気的消去可能プログラマブルリードオンリメモリ（ＥＥＰＲＯＭ）、フラッシュメモリ、または他のメモリ技術が挙げられる。そのような非一時的コンピュータ／プロセッサ可読記憶媒体はいずれも、デバイスの一部であるか、またはデバイスがアクセス可能もしくはデバイスに接続可能であってよい。本明細書に記載のアプリケーションまたはモジュールはいずれも、そのような非一時的コンピュータ／プロセッサ可読記憶媒体によって記憶されるか、または保持されてよいコンピュータ／プロセッサ可読／実行可能命令を使用して実装されてよい。
【国際調査報告】
2019537292.tif 000024
2019537292.tif 000025
2019537292.tif 000026